(57)【要約】  衛生管理システム（Ｓ）は、一以上の製造工程又は検査工程を含む作業ライン（８０）を用いて製造又は検査される食品を検体として抽出し、当該抽出した検体を培養する前後において携帯用通信端末装置（１０）によって取得された培地情報を、検体を抽出した作業ライン（８０）の衛生管理の情報を含むに作業ライン（８０）に関連する作業ライン関連情報に対応付けてサーバ装置（４０）に登録する。
2013183635.tif 000002
【特許請求の範囲】
【請求項１】
通信端末装置と連動し、一以上の製造工程又は検査工程を含む作業ラインを用いて製造又は検査される食品の衛生管理システムであって、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、
前記取得された画像データに基づいて当該検体内のコロニーの数を検出する検出手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記検出された各画像データの検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項２】
請求項１に記載の衛生管理システムにおいて、
前記判定手段が、前記培地毎の各コロニー数又は該当する培地の全てのコロニー数の少なくともいずれか一方が所定の第２条件を具備しているか否かを判定し、当該培地の判定結果に基づいて、同一条件によって製造または検査された食品群が所定の第１条件を具備しているか否かを判定する、食品の衛生管理システム。
【請求項３】
請求項２に記載の衛生管理システムにおいて、
前記判定手段が、前記培地に培養される検体を抽出した作業ライン上の位置に基づいて、前記培地毎のコロニー数が所定の第２条件を具備しているか否かを判定する、食品の衛生管理システム。
【請求項４】
請求項２又は３に記載の衛生管理システムにおいて、
前記判定手段が、前記検体又は検体に培養される菌種に基づいて、予め定められた複数の条件の中から、前記第１条件及び前記第２条件の少なくともいずれか一方を選択し、選択した条件に基づいて、前記培地の判定又は前記食品群の判定を実行する、食品の衛生管理システム。
【請求項５】
請求項１〜４のいずれか１項に記載の衛生管理システムにおいて、
前記取得手段が、前記検体とともに画像化された培地識別情報を取得するとともに、前記した画像化された培地識別別情報を画像解析して当該培地識別情報を認識する、食品の衛生管理システム。
【請求項６】
請求項１〜５のいずれか１項に記載の衛生管理システムにおいて、
前記ライン情報には、前記検体の種別を示す検体種別、前記検体の培養開始時刻、前記検体を抽出した工程を特定するための工程特定情報、及び、前記検体を前記培地で培養する際の希釈倍率を示す希釈倍率が含まれる、食品の衛生管理システム。
【請求項７】
請求項１〜６のいずれか１項に記載の衛生管理システムにおいて、
前記取得手段が、前記通信端末装置から前記画像データとともに当該画像データの撮像時刻を示す撮像時刻情報を取得する、食品の衛生管理システム。
【請求項８】
請求項１〜７のいずれか１項に記載の衛生管理システムにおいて、
前記通知手段が、前記判定手段によって前記食品群が前記所定の第１条件を具備していないと判定された場合には、前記管理者に警告を行う、食品の衛生管理システム。
【請求項９】
コンピュータによって、通信端末装置と連動し、一以上の製造工程又は検査工程を含む作業ラインを用いて製造又は検査される食品の衛生管理を実行するためのプログラムであって、
前記コンピュータを、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段、
前記取得された画像データに基づいて当該検体内のコロニーの数を検出する検出手段、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、
前記検出された各画像データの検体におけるコロニー数と前記検索されたライン関連情報に基づいて、同一条件によって製造または検査された食品群が所定の第１条件を具備しているか否かを判定する判定手段、及び、
前記判定手段によって判定された判定結果を管理者に通知する通知手段、
として機能させることを特徴するプログラム。
【請求項１０】
通信端末装置と、
前記通信端末装置と接続され、一以上の製造工程又は検査工程を含む作業ラインを用いて製造又は検査される食品の衛生管理を実行するサーバシステムと、
を備え、
前記サーバシステムが、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、
前記取得された画像データに基づいて当該検体内のコロニーの数を検出する検出手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記検出された各画像データの検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１１】
通信端末装置と連動し、一以上の製造工程又は検査工程を含む作業ラインを用いて製造又は検査される食品の衛生管理システムであって、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記取得した検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１２】
前記コンピュータによって、通信端末装置と連動し、一以上の製造工程又は検査工程を含む作業ラインを用いて製造又は検査される食品の衛生管理を実行するプログラムであって、
前記プログラムを、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、
前記取得した検体におけるコロニー数と前記検索されたライン関連情報に基づいて、同一条件によって製造または検査された食品群が所定の第１条件を具備しているか否かを判定する判定手段、
前記判定手段によって判定された判定結果を管理者に通知する通知手段、
として機能させることを特徴するプログラム。
【請求項１３】
通信端末装置と、
前記通信端末装置と接続され、一以上の製造工程又は検査工程を含む作業ラインを用いて製造又は検査される食品の衛生管理を実行するサーバシステムと、
を備え、
前記サーバシステムが、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記取得した検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１４】
フィルムによって形成される基材と、
前記基材に設けられた、一以上の製造工程又は検査工程を含む作業ラインを用いて製造又は検査される食品が検体として培養される培養層と、
前記検体及び当該検体の状態の少なくともいずれか一方に関する情報を培地情報としてデータベースに登録して管理し、かつ、記作業ラインの作業を識別するための作業識別情報に対応付けられつつ、同一条件によって製造または検査された食品群が所定の第１条件を具備しているか否かを判定する際に用いられる固有の識別情報であって、当該識別情報が通信端末装置によって画像化された際に読み出し可能に形成されたマーク形成部と、
を備えることを特徴とするフィルム型培地。
【発明の詳細な説明】
【技術分野】
【０００１】
本発明は、食品用の衛生管理システム等に関する。
【背景技術】
【０００２】
近年、ファーストフードその他の外食産業の成長や手軽な加工食品の増加により、他人が調理した食品を食する機会が著しく増加している。その一方で、加工食材や加工食品等の食品に毒物又は微生物等の危険なものが混入すると、人体に直接影響を与えるため、加工食品を取り扱う場合には、原材料の安全性だけでなく、製造工程の衛生面を厳しく管理し、食品の生産加工の全般に渡る食品の安全性が求められている。【０００３】
特に、各地で発生して問題となっている食中毒事件を発端に、食品の一層の安全性を図るために、食品衛生法を遵守するだけでなく、「ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ  Ｓｙｓｔｅｍ」や「ＦＳＳＣ（Ｆｏｏｇ  Ｓａｆｅｔｙ  Ｓｙｓｔｅｍ  Ｃｅｒｔｉｆｉｃａｔｉｏｎ  ２２０００」を導入する企業も増加している。【０００４】
例えば、このような状況下においては、加工食品の生産工程における衛生管理及び安全管理を行うことができるシステムとして、食品の生産加工全般にわたる温度履歴や使用設備等の食品生産情報を収集して記録媒体に自動記録し、総合的な管理情報を出力することができる食品生産情報収集管理システム（例えば、特許文献１）が知られている。また、同様に、作業者の衛生情報を含めた商品の製造履歴情報管理を行う食品の製造履歴情報管理システムも知られている（例えば、特許文献２）。【０００５】
一方、加工食品に混入する微生物を検出する方法としては、フィルム型培地を用いるとともに、当該フィルム型培地において培養された検体を画像によってカウントするものが知られている（例えば、特許文献３）。
【先行技術文献】
【特許文献】
【０００６】
【特許文献１】特開平１１−１６０１６０号公報
【特許文献２】特開２００５−１０７５６３号公報
【特許文献３】特開２００１−２１２０１３号公報
【発明の概要】
【発明が解決しようとする課題】
【０００７】
しかしながら、上述の特許文献１及び２にあっては、製造工程における温度履歴や作業者の管理を、作業者ＩＤ、生産設備情報、及び、生産品情報等とともに対応付けて管理しているだけであり、製造工程から抽出した検体である食品に基づいて衛生管理を行う際に各種の情報を登録することについては記載されていない。【０００８】
また、上述の特許文献３にあっては、開示された方法を適用すれば、製造工程の衛生管理を行うことができるものの、当該製造工程の衛生管理に適用する場合には複数の検体を的確に管理する必要があので、作業者に煩雑な作業を強いるとともに、作業者のミスを誘発する原因にもなり、容易に的確な衛生管理を行うことが難しい。【０００９】
本発明は、上述の課題を解決するためになされたものであって、その目的は、同一条件によって製造または検査された食品群の衛生状態の判定作業を自動化し、管理者の煩雑な作業負担を解消させることができるとともに、当該判定を一元化することができるので、容易にかつ確実に当該食品群の衛生管理を実行することが可能な衛生管理システム等を提供することにある。
【課題を解決するための手段】
【００１０】
（１）上述した課題を解決するため、本発明に係る衛生管理システムは、通信端末装置と連動し、一以上の製造工程又は検査工程を含む作業ラインを用いて製造又は検査される食品の衛生管理システムであって、前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、前記取得された画像データに基づいて当該検体内のコロニーの数を検出する検出手段と、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、前記検出された各画像データの検体におけるコロニー数と前記検索されたライン関連情報に基づいて、同一条件によって製造または検査された食品群が所定の第１条件を具備しているか否かを判定する判定手段と、前記判定手段によって判定された判定結果を管理者に通知する通知手段と、を備える構成を有している。【００１１】
この構成により、本発明に係る衛生管理システムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００１２】
したがって、本発明に係る衛生管理システムは、同一条件によって製造または検査された食品群の管理を行う管理者の煩雑な作業負担を解消させることができるとともに、判定を一元化することができるので、容易にかつ確実に当該食品群の衛生管理を実行することができる。【００１３】
特に、本発明に係る衛生管理システムは、作業ラインに関する衛生管理を実行するために用いる培地情報をデータベースに登録させることによって登録ミスを著しく減少させ、難しい培地の管理を容易にすることができるので、無駄に培地を消費すること無く省資源化を図ることができる。そして、本発明に係る衛生管理システムは、作業ラインに関する衛生管理を、電子的なデータによって解析可能となるとともに、その解析結果の提供をも電子的に実行することができるので、紙媒体などの物理的な資源を利用して種々のデータ解析及びその提供を行う場合に比べて省資源化をも図ることができる。【００１４】
（２）また、本発明に係る衛生管理システムは、前記判定手段が、前記培地毎の各コロニー数又は該当する培地の全てのコロニー数の少なくともいずれか一方が所定の第２条件を具備しているか否かを判定し、当該培地の判定結果に基づいて、同一条件によって製造または検査された食品群が所定の第１条件を具備しているか否かを判定する、構成を有している。【００１５】
この構成により、本発明に係る衛生管理システムは、各培地の衛生状態を判定しつつ、同一条件によって製造または検査された食品群の衛生状態を判定することができるので、当該食品群の衛生状態を確実に判定することができるとともに、各培地の解析をも自動化することができるので、食品群の異常が発見された場合の原因も迅速に解明することができる。【００１６】
（３）また、本発明に係る衛生管理システムは、前記判定手段が、前記培地に培養される検体を抽出した作業ライン上の位置に基づいて、前記培地毎のコロニー数が所定の第２条件を具備しているか否かを判定する、構成を有している。【００１７】
この構成により、本発明に係る衛生管理システムは、培地の衛生状態を判定する際に、当該培地に培養された検体の工程又はその位置を特定することができるので、食品群の異常が発見された場合の原因も迅速に解明することができる。【００１８】
（４）また、本発明に係る衛生管理システムは、前記判定手段が、前記検体又は検体に培養される菌種に基づいて、予め定められた複数の条件の中から、前記第１条件及び前記第２条件の少なくともいずれか一方を選択し、選択した条件に基づいて、前記培地の判定又は前記食品群の判定を実行する、構成を有している。【００１９】
この構成により、本発明に係る衛生管理システムは、培養する検体又は検出する菌種に基づいて判定基準を選択することができるので、種々の食品群の衛生管理に用いることができるともに、作業ラインが組み替えられた場合であっても、迅速に対応することができる。【００２０】
（５）また、本発明に係る衛生管理システムは、前記取得手段が、前記検体とともに画像化された培地識別情報を取得するとともに、前記した画像化された培地識別別情報を画像解析して当該培地識別情報を認識する、構成を有している。【００２１】
この構成により、本発明に係る衛生管理システムは、培地そのものを管理するために必要な容器、包装材、管理用のマーキングの余白その他の部分に、二次元バーコード等のバーコード又は文字で培地識別情報が形成されていれば、培地を撮像する際に、培地とともに画像化された当該培地識別情報を認識することができるので、作業者による入力作業を簡略しつつ、培地情報を他の培地情報と識別させつつ登録することができる。【００２２】
（６）また、本発明に係る衛生管理システムは、前記ライン情報には、前記検体の種別を示す検体種別、前記検体の培養開始時刻、前記検体を抽出した工程を特定するための工程特定情報、及び、前記検体を前記培地で培養する際の希釈倍率を示す希釈倍率が含まれる、構成を有している。【００２３】
この構成により、本発明に係る衛生管理システムは、作業ラインの衛生状態を判断する際に必要な各種の情報をライン関連情報として培地情報に対応付けて登録することができるので、容易にデータ管理ができるように培地情報を登録することができる。【００２４】
（７）また、本発明に係る衛生管理システムは、前記取得手段が、前記通信端末装置から前記画像データとともに当該画像データの撮像時刻を示す撮像時刻情報を取得する、構成を有している。【００２５】
この構成により、本発明に係る衛生管理システムは、培養開始時刻が予め登録されていれば、撮像時刻によって培養開始時刻からの経過時間を認識することができるので、培養開始から２４時間後、４８時間後、又は、それ以上等培養開始からの経過時間に伴って変化する同一条件によって製造または検査された食品群の衛生管理を行うことができる。【００２６】
（８）また、本発明に係る衛生管理システムは、前記通知手段が、前記判定手段によって前記食品群が前記所定の第１条件を具備していないと判定された場合には、前記管理者に警報を行う、構成を有している。【００２７】
この構成により、本発明に係る衛生管理システムは、衛生管理上の異常が発生した場合には、迅速に管理者に通知されるので、食品群の出荷停止などの迅速な対応を実行させることができる。【００２８】
（９）上述した課題を解決するため、本発明に係るプログラムは、コンピュータによって、通信端末装置と連動し、一以上の製造工程又は検査工程を含む作業ラインを用いて製造又は検査される食品の衛生管理を実行するためのプログラムであって、前記コンピュータを、前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段、前記取得された画像データに基づいて当該検体内のコロニーの数を検出する検出手段、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、前記検出された各画像データの検体におけるコロニー数と前記検索されたライン関連情報に基づいて、同一条件によって製造または検査された食品群が所定の第１条件を具備しているか否かを判定する判定手段、及び、前記判定手段によって判定された判定結果を管理者に通知する通知手段、として機能させる構成を有している。【００２９】
この構成により、本発明に係るプログラムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００３０】
したがって、本発明に係るプログラムは、同一条件によって製造または検査された食品群の管理を行う管理者の煩雑な作業負担を解消させることができるとともに、判定を一元化することができるので、容易にかつ確実に当該食品群の衛生管理を実行することができる。【００３１】
（１０）上述した課題を解決するため、本発明に係る衛生管理システムは、通信端末装置と、前記通信端末装置と接続され、一以上の製造工程又は検査工程を含む作業ラインを用いて製造又は検査される食品の衛生管理を実行するサーバシステムと、を備え、前記サーバシステムが、前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、前記取得された画像データに基づいて当該検体内のコロニーの数を検出する検出手段と、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、前記検出された各画像データの検体におけるコロニー数と前記検索されたライン関連情報に基づいて、同一条件によって製造または検査された食品群が所定の第１条件を具備しているか否かを判定する判定手段と、前記判定手段によって判定された判定結果を管理者に通知する通知手段と、を備えることを特徴する食品の衛生管理システム構成を有している。【００３２】
この構成により、本発明に係る衛生管理システムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００３３】
したがって、本発明に係る衛生管理システムは、同一条件によって製造または検査された食品群の管理を行う管理者の煩雑な作業負担を解消させることができるとともに、判定を一元化することができるので、容易にかつ確実に当該食品群の衛生管理を実行することができる。【００３４】
（１１）上述した課題を解決するため、本発明に係る衛生管理システムは、通信端末装置と連動し、一以上の製造工程又は検査工程を含む作業ラインを用いて製造又は検査される食品の衛生管理システムであって、前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、前記取得した検体におけるコロニー数と前記検索されたライン関連情報に基づいて、同一条件によって製造または検査された食品群が所定の第１条件を具備しているか否かを判定する判定手段と、前記判定手段によって判定された判定結果を管理者に通知する通知手段と、を備える、構成を有している。【００３５】
この構成により、本発明に係る衛生管理システムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００３６】
したがって、本発明に係る衛生管理システムは、同一条件によって製造または検査された食品群の管理を行う管理者の煩雑な作業負担を解消させることができるとともに、判定を一元化することができるので、容易にかつ確実に当該食品群の衛生管理を実行することができる。【００３７】
（１２）上述した課題を解決するため、本発明に係るプログラムは、前記コンピュータによって、通信端末装置と連動し、一以上の製造工程又は検査工程を含む作業ラインを用いて製造又は検査される食品の衛生管理を実行するプログラムであって、前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、前記取得した検体におけるコロニー数と前記検索されたライン関連情報に基づいて、同一条件によって製造または検査された食品群が所定の第１条件を具備しているか否かを判定する判定手段、前記判定手段によって判定された判定結果を管理者に通知する通知手段、として機能させる構成を有している。【００３８】
この構成により、本発明に係るプログラムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００３９】
したがって、本発明に係る衛生管理システムは、同一条件によって製造または検査された食品群の管理を行う管理者の煩雑な作業負担を解消させることができるとともに、判定を一元化することができるので、容易にかつ確実に当該食品群の衛生管理を実行することができる。【００４０】
（１３）上述した課題を解決するため、本発明に係る衛生管理システムは、通信端末装置と、前記通信端末装置と接続され、一以上の製造工程又は検査工程を含む作業ラインを用いて製造又は検査される食品の衛生管理を実行するサーバシステムと、を備え、前記サーバシステムが、前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、前記取得した検体におけるコロニー数と前記検索されたライン関連情報に基づいて、同一条件によって製造または検査された食品群が所定の第１条件を具備しているか否かを判定する判定手段と、前記判定手段によって判定された判定結果を管理者に通知する通知手段と、を備える構成を有している。【００４１】
この構成により、本発明に係る衛生管理システムは、同一条件によって製造または検査された食品群の衛生状態を判別可能な条件を第１条件に設定することによって、培地の画像データを登録すれば、同一条件によって製造または検査された食品群が衛生管理上において異常であるか正常であるかを判定し、その結果を管理者に通知することができるので、当該食品群の衛生管理に関する評価のための作業を自動化することができる。【００４２】
したがって、本発明に係る衛生管理システムは、同一条件によって製造または検査された食品群の管理を行う管理者の煩雑な作業負担を解消させることができるとともに、判定を一元化することができるので、容易にかつ確実に当該食品群の衛生管理を実行することができる。【００４３】
（１４）上述した課題を解決するため、本発明に係るフィルム型培地は、フィルムによって形成される基材と、前記基材に設けられた、一以上の製造工程又は検査工程を含む作業ラインを用いて製造又は検査される食品が検体として培養される培養層と、前記検体及び当該検体の状態の少なくともいずれか一方に関する情報を培地情報としてデータベースに登録して管理し、かつ、記作業ラインの作業を識別するための作業識別情報に対応付けられつつ、同一条件によって製造または検査された食品群が所定の第１条件を具備しているか否かを判定する際に用いられる固有の識別情報であって、当該識別情報が通信端末装置によって画像化された際に読み出し可能に形成されたマーク形成部と、を備える構成を有している。【００４４】
この構成により、本発明に係るフィルム型培地は、培地識別情報をデータベースに登録することができるので、従来、培地の報告書を作成する際に必要となるライン関連情報を、フィルム型培地の所定のスペースや培地を容器等に作業者が直接手書きで記入していた場合と比べて、容易に培地情報を登録させることができる。【００４５】
したがって、本発明に係るフィルム型培地は、培地情報を登録する作業者の煩雑さを解消して培地情報の登録ミスを防止するため、及び、容易にデータ管理するために用いることができるとともに、同一条件によって製造または検査された食品群の管理を行う管理者の煩雑な作業負担を解消させるための培地として利用することができる。
【発明の効果】
【００４６】
本発明に係る衛生管理システム、通信端末装置、これらのプログラムは、同一条件によって製造または検査された食品群の管理を行う管理者の煩雑な作業負担を解消させることができるとともに、判定を一元化することができるので、容易にかつ確実に当該食品群の衛生管理を実行することができる。【００４７】
また、本発明に係るフィルム型培地は、培地情報を登録する作業者の煩雑さを解消して培地情報の登録ミスを防止するため、及び、容易にデータ管理するために用いることができる。
【図面の簡単な説明】
【００４８】
【図１】本発明に係る衛生管理システムの一実施形態の構成を示す構成図である。
【図２】一実施形態の衛生管理システムに用いるフィルム型培地の一例である。
【図３】一実施形態の衛生管理システムに用いる作業指示書の一例である。
【図４】一実施形態の衛生管理システムに用いる携帯用通信端末装置の構成を示すブロック図である。
【図５】一実施形態の携帯用通信端末装置によって培地情報を登録する際に表示部に表示される画像の一例である。
【図６】一実施形態の携帯用通信端末装置によってフィルム型培地を撮像する際の表示部に表示される画像の一例である。
【図７】一実施形態の携帯用通信端末装置によって作業指示書を撮像する際の表示部に表示される画像の一例である。
【図８】一実施形態の衛生管理システムに用いるサーバ装置の構成を示すブロック図である。
【図９】一実施形態のサーバ装置における工程判定を説明するための図（その１）である。
【図１０】一実施形態のサーバ装置における工程判定を説明するための図（その２）である。
【図１１】一実施形態のサーバ装置における工程判定を説明するための図（その３）である。
【図１２】一実施形態の携帯用通信端末装置における培地情報の登録処理の動作を示すフローチャートである。
【図１３】一実施形態の携帯用通信端末装置において培地情報を送信する際に表示部に表示される画像の一例である。
【図１４】一実施形態のサーバ装置における培地情報の登録処理の動作を示すフローチャートである。
【図１５】一実施形態のサーバ装置におけるロット判定処理の動作を示すフローチャートである。
【発明を実施するための形態】
【００４９】
以下、本発明に係る実施形態について、図面を参照しながら説明する。なお、以下の実施形態は、加工食品の製造ラインにおけるフィルム型培地を用いた衛生管理システムに対して、本発明に係る衛生管理システム、そのプログラム及びフィルム型培地を適用した場合の実施形態である。ただし、本発明は、その技術的思想を含む範囲内で以下の実施形態に限定されない。
【００５０】
［１］衛生管理システム
まず、図１を用いて本実施形態の衛生管理システムＳについて説明する。なお、図１は、本実施形態の衛生管理システムＳの構成を示す構成図である。
【００５１】
本実施形態の衛生管理システムＳは、図１に示すように、フィルム型培地６０を登録する際に用いる複数の携帯用通信端末装置１０と、当該衛生管理システムＳを管理する管理者端末装置２０と、ネットワーク３０と、携帯用通信端末装置１０又は管理者端末装置２０と連動し、各種の処理を実行するサーバ装置４０と、を有している。
【００５２】
衛生管理システムＳは、一以上の製造工程又は検査工程を含む作業ライン８０を用いて製造又は検査される食品を検体として抽出し、当該抽出した検体を培養する前後において携帯用通信端末装置１０によって取得された培地の情報（以下、「培地情報」という。）を、検体を抽出した作業ライン８０の衛生管理の情報を含む作業ライン８０に関連する情報（以下、「作業ライン関連情報」という。）に対応付けてサーバ装置４０（具体的には、データベース４００）に登録することが可能なシステムである。
【００５３】
この作業ライン関連情報には、検体を抽出した作業ライン８０を特定するためのライン情報、当該検体を抽出した工程を特定するための工程情報、及び、当該検体が含まれるロットを特定するためのロット情報が含まれる。また、作業ライン関連情報には、作業ライン８０の衛生管理の情報（すなわち、衛生管理に関する情報）として、当該検体の種別を示す検体種別、前記検体の培養開始時刻、前記検体を前記培地で培養する際の希釈倍率を示す希釈倍率、及び、各フィルム型培地６０の検体の異常又は正常の判定（以下、「培地判定」ともいう。）、すなわち、合否判定を実行する際に用いる判定基準の情報（以下、「培地判定基準情報」ともいう。）等が含まれる。
【００５４】
本実施形態の衛生管理システムＳにおいては、サーバ装置４０は、携帯用通信端末装置１０と連動し、検体が培養されている培地毎に付された他の培地と識別するための培地識別情報（以下、「培地ＩＤ」という。）６５を取得し、作業者によって入力された作業ライン８０の作業を識別するための作業識別情報（以下、「作業ＩＤ」という。）を取得する構成を有している。そして、サーバ装置４０は、データベース４００に作業ＩＤ毎に記憶されたライン関連情報を、取得された作業ＩＤに基づいて、検索し、検索したライン関連情報に対応付けて取得した培地ＩＤ６５を含む培地情報を当該データベース４００に登録する構成を有している。
【００５５】
また、サーバ装置４０は、作業指示書７０毎に付された指示書識別情報（以下、「指示書ＩＤ」という）７１、又は、各作業ライン８０の各工程を特定する工程の識別情報（以下、「工程ＩＤ」ともいう。）７２を作業ＩＤとして用いるとともに、取得した作業ＩＤに基づいてライン関連情報を検索しつつ、当該検索して特定したライン関連情報に対応付けて培地情報をデータベース４００に登録する構成を有している。
【００５６】
なお、本実施形態においては、作業ライン８０を特定する識別情報（以下、「ラインＩＤ」ともいう。）を作業ＩＤとして用いてもよい。また、指示書ＩＤ７１及び工程ＩＤ７２の複数のＩＤを作業ＩＤとして用いてもよい。
【００５７】
一方、衛生管理システムＳは、登録された培地情報と、ロット毎のロット情報と、作業ライン８０毎の作業ライン８０情報と、に基づいて、作業ライン８０の各工程の衛生状態の判定（以下、「工程判定」という。）、当該作業ライン８０の衛生状態の判定（以下、「ライン判定」という。）、又は、同一条件によって製造又は検査された食品群（すなわち、一ロットに属する食品群）が所定の条件を具備しているか否かの判定（以下、「ロット判定」という。）を実行することが可能なシステムである。
【００５８】
特に、本実施形態の衛生管理システムＳにおいては、サーバ装置４０は、培地ＩＤ６５とともに撮像されて画像化された複数の検体のそれぞれの画像データを取得し、かつ、作業ＩＤを取得し、取得した画像データに基づいて当該検体内のコロニーの数（以下、「コロニー数」という。）を検出する構成を有している。
【００５９】
また、サーバ装置４０は、取得した作業ＩＤに基づいて、データベース４００から各画像データに画像化された検体が抽出された作業ライン８０のライン関連情報を検索する構成を有している。
【００６０】
そして、サーバ装置４０は、検出した各画像データの検体におけるコロニー数と検索したライン関連情報に基づいて、同一条件によって製造又は検査された食品群（すなわち、ロット）が所定の条件を具備しているか否かを判定し、当該判定結果を提供する構成を有している。
【００６１】
なお、培地情報は、携帯用通信端末装置１０によってサーバ装置４０に送信され、データベース４００に登録される情報である。具体的には、培地情報には、培地ＩＤ６５、フィルム型培地６０に培養される前の検体又は培養後の所定の時間経過後の検体が画像化された画像データ（以下、「培地画像データ」という。）、撮像時刻及び画像データのＩＤ等のメタデータ、培養された検体内のコロニー数、及び、衛生管理上の検体の異常又は正常を示す培地判定の結果を示す情報（以下、「培地判定情報」ともいう。）等が含まれる。
【００６２】
また、ロット情報には、他のロットと識別するための識別情報であってその作業固有の指示書ＩＤ７１（以下、「ロットＩＤ」ともいう。）と、各ロットに属する食品の製造又は検査を行うために用いるライン情報、ロットの製造又は検査を開始する時刻（以下、「ロット開始時刻」という。）、ロットの製造又は検査を終了する時刻（以下、「ロット終了時刻」という。）、及び、当該ロットの製造又は検査に従事する作業者の班（以下、「作業班」ともいう。）等が含まれる。
【００６３】
さらに、ライン情報には、他の作業ライン８０を特定するラインＩＤ、及び、各工程を特定する工程種別及びその工程ＩＤ７２等が含まれる。
【００６４】
携帯用通信端末装置１０は、例えば、通信機能を有するデジタルカメラ、タブレット型情報端末装置、スマートフォン又は携帯用電話機等、静止画像等の撮像機能又は録画機能（以下、単に「カメラ機能」という。）を有し、かつ、作業者によって携帯可能な通信端末装置である。
【００６５】
特に、携帯用通信端末装置１０は、カメラ機能によってフィルム型培地６０を画像化するとともに、フィルム型培地６０の画像化とともに培地ＩＤ６５も画像化すること、及び、作業ＩＤを含む作業指示書７０を画像化することが可能な構成を有している。
【００６６】
また、携帯用通信端末装置１０は、画像化された培地画像データと指示書画像データから培地ＩＤ６５及び作業ＩＤを取得し、当該取得した培地ＩＤ６５及び作業ＩＤとともに、画像化したフィルム型培地６０の培地画像データと当該培地画像データのメタデータを培地情報としてサーバ装置４０に送信する構成を有している。
【００６７】
特に、携帯用通信端末装置１０は、培地情報をサーバ装置４０に送信する際には、ＢＬＵＥＴＯＯＴＨ（登録商標）、ワイヤレスＬＡＮ（ＷＬＡＮ：Ｗｉｒｅｌｅｓｓ  Ｌｏｃａｌ  Ａｒｅａ  Ｎｅｔｗｏｒｋ）又はワイヤレスＰＡＮ（ＷＰＡＮ：Ｗｉｒｅｌｅｓｓ  Ｐｅｒｓｏｎａｌ  Ａｒｅａ  Ｎｅｔｗｏｒｋ）等の近距離無線用の通信規格を用いて直接若しくはアクセスポイント５０を介してサーバ装置４０に送信し、又は、図示しない移動基地局を介して公衆電話網回線を用いてサーバ装置４０に送信する構成を有している。
【００６８】
また、携帯用通信端末装置１０は、ＸＭＬ（ｅＸｔｅｎｓｉｂｌｅ  Ｍａｒｋｕｐ  Ｌａｎｇｕａｇｅ）等のマークアップ言語によって構築されたブラウザ機能を有し、当該ブラウザ機能を用いて作業者の操作入力指示及び操作確認を実行するとともに、当該ブラウザ機能を介して培地情報をサーバ装置４０に送信するようになっている。
【００６９】
なお、携帯用通信端末装置１０は、フィルム型培地６０及び作業指示書７０がＩＣタグを有し、当該ＩＣタグにそれぞれ培地ＩＤ６５及び作業ＩＤが記憶されている場合には、当該ＩＣタグか培地ＩＤ６５及び作業ＩＤを読み出して取得しつつ、培地画像データとともにサーバ装置４０に送信してもよい。
【００７０】
また、携帯用通信端末装置１０は、培地ＩＤ６５を含む画像化したフィルム型培地６０の培地画像データと、画像化した作業指示書７０である指示書画像データを所定のデータ形式のまま画像データとしてサーバ装置４０に送信し、サーバ装置４０によって作業ＩＤ及び培地ＩＤ６５を解析して取得させるようにしてもよい。
【００７１】
管理者端末装置２０は、例えば、タブレット型情報端末装置、スマートフォン、パーソナルコンピュータ又はワークステーション等の情報通信端末装置である。特に、管理者端末装置２０は、ロット及び作業ライン８０の衛生管理に関する報告書その他のデータ解析を実行する際に、解析結果を出力するモニタやプリンタを有している。
【００７２】
また、管理者端末装置２０は、管理者のＩＤ及びパスワードを管理し、サーバ装置４０へのアクセス権限の管理、携帯用通信端末装置１０の端末ＩＤの管理、及び、登録された培地情報の修正その他の管理を行う。そして、管理者端末装置２０は、携帯用通信端末装置１０と同様に、マークアップ言語によって構築されたブラウザ機能を有し、当該ブラウザ機能を用いてサーバ装置４０とのデータの授受、報告書の閲覧等を実行することができる構成を有している。
【００７３】
なお、管理者端末装置２０は、同一ロット内において、工程を実行する機械の故障その他によって各作業が中断した場合、作業者における培地情報の登録ミス等が発生した場合に、培地情報その他の情報を修正することができる構成を有している。
【００７４】
ネットワーク３０は、例えば、携帯電話網を含む公衆電話回線網（以下、「長距離通信ネットワーク」という）、近距離無線ネットワーク等のＩＰ（Ｉｎｔｅｒｎｅｔ  Ｐｒｏｔｏｃｏｌ）ネットワーク、又は、その双方が相互接続されて構成されている。ただし、当該ネットワーク３０の構成は、これに限られない。
【００７５】
サーバ装置４０は、管理者端末装置２０と連動し、ロット及び作業ライン８０の衛生管理を実行するとともに、携帯用通信端末装置１０と連動し、培地情報のデータ管理を実行するために用いられるサーバ装置４０であり、上述の動作を実現するための構成を有している。
【００７６】
特に、サーバ装置４０は、携帯用通信端末装置１０から培地ＩＤ６５及び作業ＩＤとともに、フィルム型培地６０を撮像することによって生成された培地画像データ及びそのメタデータを受信し、作業ＩＤによって対応付けて記憶されたライン関連情報（すなわち、ロット情報、ライン情報及び培地情報）を特定する構成を有している。
【００７７】
また、サーバ装置４０は、受信した培地画像データのメタデータに基づいて、撮像時刻を取得するとともに、画像化された検体内のコロニー数を取得又は検出し、作業ＩＤによって検索されたライン関連情報に対応付けて培地ＩＤ６５、撮像時刻、コロニー数等の各培地情報を登録することが可能な構成を有している。
【００７８】
なお、サーバ装置４０は、携帯用通信端末装置１０においてフィルム型培地６０を撮像することによって生成された培地画像データ及び作業指示書７０を撮像することによって画像化した指示書画像データを受信し、培地画像データ及び指示書画像データを解析しつつ、作業ＩＤ及び培地ＩＤ６５をそれぞれ認識及び取得するようにしてもよい。
【００７９】
一方、サーバ装置４０は、管理者端末装置２０と連動し、指定されたロット、作業ライン８０又は工程における衛生管理に関するデータ解析を実行し、報告書形式の解析結果（以下、「解析情報」ともいう。）を出力することが可能な構成を有している。
【００８０】
具体的には、サーバ装置４０は、解析すべきロット、作業ライン８０又は工程に対応付けて登録された複数の培地情報と予め定められた判定基準とに基づいて、ロット、作業ライン８０又は当該作業ライン８０に含まれる各工程（以下、単に「工程」という。）の衛生管理上の異常又は正常（すなわち、ロットや作業ライン８０の衛生管理上の合否）を判定し、その判定結果に基づいて報告書形式の解析結果を生成する構成を有している。
【００８１】
そして、サーバ装置４０は、生成された解析結果を管理者端末装置２０に管理者に閲覧可能に送信することができるようになっている。
【００８２】
また、サーバ装置４０は、培地判定を実行する際に基準となる培地判定基準情報、ライン判定する際に基準となるライン判定基準情報、工程判定を実行する際に基準となる工程判定基準情報及びロット判定を実行する際に基準となるロット判定基準情報の各判定基準情報を用いて各判定を実行するようになっている。
【００８３】
なお、各種の判定基準情報は、培地判定を実行する際にロット数、作業ライン数、工程種別、検体の種別、検体から検出する菌種、培養時の希釈倍率、及び、培養時間（培養開始時刻からの経過時間）等によって規定された判定を行うための基準情報である。
【００８４】
そして、サーバ装置４０は、培地判定、ロット判定、ライン判定及び工程判定の判定を実行する際に、ロット数、作業ライン数、工程種別、検体の種別、検体から検出する菌種、培養時の希釈倍率、及び、培養時間（培養開始時刻からの経過時間）等によって異なる判定基準情報を読み出しつつ、各判定を実行するように構成されている。
【００８５】
このような構成により、本実施形態の衛生管理システムＳは、携帯用通信端末装置１０と連動して培地ＩＤ６５をライン関連情報に対応付けてデータベース４００に登録することができるので、従来、培地の報告書を作成する際に必要となる作業ライン８０その他の各種情報を、フィルム型培地６０の所定のスペースやフィルム型培地６０の容器等に作業者が直接手書きで記入していた場合と比べて、容易に対応付けて登録することができるようになっている。
【００８６】
したがって、本実施形態の衛生管理システムＳは、各情報を登録する作業者の煩雑さを解消して培地情報の登録ミスを防止することができるとともに、容易にデータ管理を行うことができるように培地情報を登録することができるようになっている。
【００８７】
［２］フィルム型培地
次に、図２を用いて本実施形態のフィルム型培地６０について説明する。なお、図２は、本実施形態に用いるフィルム型培地６０の一例である。
【００８８】
本実施形態に用いるフィルム型培地６０は、フィルム又はシ−ト状の乾燥培地によって作業ライン８０の各工程から検出した食品を検体として培養するための培地である。また、フィルム型培地６０は、例えば、一般生菌用、大腸菌群用及び黄色ブドウ球菌用を培養する培地として用いられる。なお、カビや酵母、リステリア菌、水質用微生物、乳酸菌、タンパク質等の各種の菌、物質又は微生物を培養する培地として用いてもよい。
【００８９】
また、フィルム型培地６０は、例えば、図２に示すように、フィルムによって形成される基材シート６１と、基材シート６１の中心を基準に当該基材シート６１上に形成される円形の枠（以下、「円形枠」という。）６２と、該枠内に設けられる培養層６３と、当該培養層６３を被覆するカバーシート６４と、を有して構成される。
【００９０】
そして、本実施形態のフィルム型培地６０は、基材シート６１の上方に印刷その他の方法によって形成された当該フィルム型培地６０の識別情報となる培地ＩＤ６５を有している。特に、培地ＩＤ６５は、携帯用通信端末装置１０によって画像化された際に読み出し可能に基材シート６０に形成されたマーク形成部として機能する。例えば、記載シートの上方に、２次元バーコード等のバーコード又は英数字で形成されており、フィルム型培地６０の撮像時に一緒に画像化され、携帯用通信端末装置１０又はサーバ装置４０において解析することによって認識可能になっている。
【００９１】
基材シート６１は、フィルム状又はシート状の基材であれば特に限定されず、例えば、プラスチックフィルムや紙等を用いることができる。プラスチックフィルムの例としては、ポリエチレン、ポリプロピレン、ポリエチレンテレフタレート、ポリエチレンナフタレート、ポリメタクリレート、ポリメチルメタクリレート、ポリメチルアクリレート、ポリエステル、ポリカーボネート等の樹脂フィルムを好ましく挙げることができる。ポリエチレンテレフタレート、ポリプロピレン系の合成紙等が好ましく挙げることができる。なお、ポリプロピレン系合成紙は、ポリプロピレンを主原料とするフィルム合成紙である。
【００９２】
なお、フィルム型培地６０は、培地ＩＤ６５を記憶させたＩＣタグを有し、携帯用通信端末装置１０が有する近距離無線通信インターフェース１４０（例えば、ＩＣタグリーダ）によって当該携帯用通信端末装置１０に培地ＩＤ６５を取得させてもよい。
【００９３】
［３］作業指示書
次に、図３を用いて本実施形態の作業指示書７０について説明する。なお、図３は、本実施形態に用いる作業指示書７０の一例である。
【００９４】
本実施形態の作業指示書７０は、同一条件によって製造又は検査された食品群毎、すなわち、ロット毎に、一以上の製造工程又は検査工程の作業名称及びその内容と、使用する作業ライン８０と、製造又は検査される食品（加工食品）名称、数量その他の情報と、が記載された指示書である。
【００９５】
また、本実施形態の作業指示書７０は、上部に印刷その他の方法によって形成された指示書ＩＤ７１と、所定の領域に印刷その他の方法によって形成された複数の工程ＩＤ７２を有している。指示書ＩＤ７１及び各工程ＩＤ７２は、作業ＩＤとして用いられ、例えば、２次元バーコード等のバーコード又は英数字で形成されている。そして、指示書ＩＤ７１及び各工程ＩＤ７２は、フィルム型培地６０の登録が実行される際に当該フィルム型培地６０と同様に画像化され、携帯用通信端末装置１０又はサーバ装置４０において解析することによって認識される。
【００９６】
なお、作業指示書７０は、フィルム型培地６０と同様に、指示書ＩＤ７１又は工程ＩＤ７２の作業ＩＤを記憶させたＩＣタグを有し、タグリーダなどの携帯用通信端末装置１０が有するインターフェース（後述する近距離無線通信インターフェース１４０）によって当該携帯用通信端末装置１０に作業ＩＤを取得させてもよい。
【００９７】
［４］携帯用通信端末装置
次に、図４〜図７を用いて本実施形態の携帯用通信端末装置１０の構成について説明する。なお、図４は、本実施形態の携帯用通信端末装置１０の構成を示すブロック図であり、図５は、本実施形態の携帯用通信端末装置１０によって培地情報を登録する際に表示部１６０に表示される画像の一例である。また、図６は、本実施形態の携帯用通信端末装置１０によってフィルム型培地６０を撮像する際の表示部１６０に表示される画像の一例であり、図７は、本実施形態の携帯用通信端末装置１０によって作業指示書７０を撮像する際の表示部１６０に表示される画像の一例である。
【００９８】
本実施形態の携帯用通信端末装置１０は、各種のプログラムが実行される際に用いられるメモリ機能を有するデータ記憶部１００と、撮像機能を有し、フィルム型培地６０の画像データその他の画像データを生成する画像データ生成部１１０と、サーバ装置４０と連動して培地情報の登録処理等を実行するアプリケーション制御部１２０と、を備えている。
【００９９】
また、携帯用通信端末装置１０は、サーバ装置４０及び他の通信装置と通信を行うネットワーク通信部１３０と、ＩＣタグその他の通信用のインターフェースとデータの授受を行う近距離無線通信インターフェース１４０と、現在位置を検出する現在位置検出部１５０と、表示部１６０と、表示部１６０を制御する表示制御部１６１と、ユーザの操作を入力するための操作部１７０と、タイマー１８０と、装置全体を制御する端末管理制御部１９０と、を有している。
【０１００】
そして、携帯用通信端末装置１０は、例えば、電話機能及び電子メール等のメール機能を有する場合には、マイク、スピーカ及び電子メールの送受信機能等の種々の必要な部材を有している。さらに、上述の各部は、バス１１によって互いに接続され、データの授受が実行される。
【０１０１】
データ記憶部１００は、各種のアプリケーションプログラムを記憶するアプリケーション記憶部１０１と、画像データ生成部１１０によって撮像されて生成された画像データを記憶する画像データ記憶部１０２と、携帯用通信端末装置１０の管理及び制御に関するプログラム、並びに、各プログラムの実行中にワークエリアとして用いられるＲＯＭ／ＲＡＭ１０３と、を有している。
【０１０２】
特に、アプリケーション記憶部１０１には、画像データ生成部１１０、操作部１７０、表示制御部１６１及び画像データ記憶部１０２と連動しつつ、アプリケーション制御部１２０によって実行されるアプリケーションプログラム（以下、「アプリ」という。）が記録されている。また、アプリケーション記憶部１０１には、上述のブラウジング機能を実現するためのブラウザ用のプログラムも記録されている。
【０１０３】
画像データ記憶部１０２には、撮像した培地画像データと、画像データを管理する画像ＩＤ、撮像時刻等の各画像データに対応する各種のメタデータと、指示書画像データと、が対応付けられて記憶される。なお、画像ＩＤとは、各携帯用通信端末装置１０において適宜付与される任意の識別情報である。
【０１０４】
画像データ生成部１１０は、光学システムと、当該光学システムから入力された光学画像を電気信号に変換するＣＣＤＩセンサ（Ｃｈａｒｇｅ  Ｃｏｕｐｌｅｄ  Ｄｅｖｉｃｅ  Ｉｍａｇｅ  Ｓｅｎｓｏｒ）と、ＣＣＤＩセンサにおいて生成された電気信号に基づいて画像データを生成する生成部と、を有する。
【０１０５】
特に、画像データ生成部１１０は、培地ＩＤ６５とともに検体が培養される、又は、培養されたフィルム型培地６０を撮像した際に、当該撮像されたフィルム型培地６０を画像化し、当該フィルム培地の培地画像データを生成する。また、画像データ生成部１１０は、作業指示書７０を撮像した際に、作業指示書７０を画像化し、当該作業指示書７０の指示書画像データを生成する。
【０１０６】
アプリケーション制御部１２０は、培地情報登録処理プログラム（以下、「培地登録アプリ」ともいう。）によって実行される培地情報登録処理を実現する。特に、アプリケーション制御部１２０は、アプリケーション記憶部１０１に記憶された培地登録アプリによって携帯用通信端末装置１０の各部を制御するための各種制御プログラムを実行しつつ、ネットワーク通信部１３０、表示制御部１６１及び操作部１７０と連動して、又は、制御して各種の処理を実行する。
【０１０７】
具体的には、アプリケーション制御部１２０は、アプリケーション記憶部１０１に記録された培地登録アプリを実行し、画像データ生成部１１０を制御して撮像されたフィルム型培地６０の培地画像データ及び作業指示書７０の指示書画像データを取得して画像データ記憶部１０２に記憶する。
【０１０８】
そして、アプリケーション制御部１２０は、バーコード認識機能又はＯＣＲ（Ｏｐｔｉｃａｌ  Ｃｈａｒａｃｔｅｒ  Ｒｅｃｏｇｎｉｔｉｏｎ）機能などの画像解析機能を用いて、画像化された培地画像データと指示書画像データから培地ＩＤ６５及び作業ＩＤを取得し、当該取得した培地ＩＤ６５及び作業ＩＤとともに、画像化したフィルム型培地６０の培地画像データと当該培地画像データのメタデータとを画像データ記憶部１０２に記憶する。
【０１０９】
なお、アプリケーション制御部１２０は、通信回線を介して他の通信装置又はデータベースと連動してバーコード認識又はＯＣＲ認識を実行してもよい。
【０１１０】
また、アプリケーション制御部１２０は、培地画像データの撮像後、又は、所定のタイミングによって、検体の培養開始時に培地情報をサーバ装置４０に登録する初期登録及び当該検体の培養開始後に培地情報を登録する培養後登録を実行する。特に、アプリケーション制御部１２０は、作業者の指示に基づいて、初期登録か又は培養後登録かを特定し、当該いずれかの登録かを示す情報（フラグ情報）を培地情報に含めてサーバ装置４０に送信する。
【０１１１】
また、アプリケーション制御部１２０は、培地画像データを撮像した際に、タイマー１８０から現在時刻を取得し、当該現在時刻を撮像時刻として所定の画像ＩＤとともに当該培地画像データのメタデータとして画像データ記憶部１０２に記憶し、サーバ装置４０に培地画像データを送信する際に一緒に送信する。
【０１１２】
例えば、アプリケーション制御部１２０は、図５に示すように、選択ボタンＡ及び選択ボタンＢの表示及び画像表示領域１５の該当する領域のタッチ検出によって、初期登録か培養後登録かを培地情報の登録を行う作業者に選択させる。また、アプリケーション制御部１２０は、培地ＩＤ６５が２次元バーコードによって形成されている場合には、図６に示すように、作業者に撮像を促すために、表示部１６０の中央に、検体を画像化する領域（以下、「検体画像化領域」という。）１７と、培地ＩＤ６５を画像化する領域（以下、「培地ＩＤ画像化領域」という。）１８と、を表示させる。そして、アプリケーション制御部１２０は、作業者の指示に基づいて（すなわち、撮像ボタン１９へのタッチを検出して）画像データ生成部１１０に培地ＩＤ６５を有する培地画像を撮像させる。
【０１１３】
また、作業ＩＤとして指示書ＩＤ７１又は工程ＩＤ７２が２次元バーコードによって形成されている作業指示書７０のデータを取得する場合には、アプリケーション制御部１２０は、図７に示すように、作業者に撮像を促すために、指示書ＩＤ７１又は工程ＩＤ７２を画像化する領域（以下、「作業ＩＤ画像化領域」という。）１２と、表示部１６０に作業指示書７０を画像化する領域（以下、「指示書画像化領域」という。）１３と、を表示させる。そして、アプリケーション制御部１２０は、作業者の指示に基づいて（すなわち、撮像ボタンへのタッチを検出して）画像データ生成部１１０に作業ＩＤを有する作業指示書７０の画像を撮像させる。
【０１１４】
このとき、工程ＩＤ７２を作業ＩＤとして取得する場合であって、複数の工程ＩＤ７２が形成されている場合には、アプリケーション制御部１２０は、いずれの工程ＩＤ７２を選択すべきか作業者に選択させつつ、該当する工程ＩＤ７２を取得する。ただし、アプリケーション制御部１２０は、サーバ装置４０と連動してライン関連情報を作業者に参照させつつ、当該作業者の指示に基づいて取得すべき工程ＩＤ７２を取得するようにしてもよい。
【０１１５】
なお、アプリケーション制御部１２０は、培地ＩＤ６５と、指示書ＩＤ７１及び工程ＩＤ７２である作業ＩＤと、がＩＣタグに記憶されている場合には、操作部１７０及び表示制御部１６１及び近距離無線通信インターフェース１４０と連動して培地ＩＤ６５及び作業ＩＤを取得する。
【０１１６】
また、アプリケーション制御部１２０は、サーバ装置４０によって培地ＩＤ６５及び作業ＩＤを培地画像データ及び指示書画像データから認識する場合には、培地情報として培地画像データの他に指示書画像データを送信する。
【０１１７】
さらに、アプリケーション制御部１２０は、培地情報と作業ＩＤを個々にサーバ装置４０に送信してもよい。この場合には、アプリケーション制御部１２０は、培地情報及び作業ＩＤを取得する毎に、サーバ装置４０に送信する。
【０１１８】
ネットワーク通信部１３０は、アプリケーション制御部１２０及び端末管理制御部１９０の制御の下、ネットワーク３０に接続されるサーバ装置４０との通信回線を構築し、培地画像データ及び指示書画像データ等の種々のデータの授受を行う。
【０１１９】
近距離無線通信インターフェース１４０は、アプリケーション制御部１２０及び端末管理制御部１９０の制御の下、ＩＣタグを用いた近距離無線通信を行う。
【０１２０】
現在位置検出部１５０は、アプリケーション制御部１２０又は端末管理制御部１９０の制御の下、ネットワーク３０を介してＧＰＳ（Ｇｌｏｂａｌ  Ｐｏｓｉｔｉｏｎｉｎｇ  Ｓｙｓｔｅｍ）衛生の位置を認識しつつ、当該ＧＰＳ衛生から送信された衛生信号（ＧＰＳ信号）を検出する。
【０１２１】
そして、現在位置検出部１５０は、当該検出されたＧＰＳ信号に基づいて携帯用通信端末装置１０の現在位置Ｐの緯度及び経度によって示される座標値を算出（すなわち、検出）する。また、この現在位置検出部１５０は、この算出された座標値を位置情報としてアプリケーション制御部１２０に提供する。
【０１２２】
なお、携帯用通信端末装置１０が、電話機能や近距離無線機能を有している場合には、電話や近距離無線に用いる電波を電話基地局等において受信した方角と電波強度に基づいて当該携帯用通信端末装置１０の現在位置を算出（検出）してもよい。
【０１２３】
表示部１６０は、所定のサイズ（例えば、５インチ、Ｗ４８０×Ｈ９６０ピクセル）の画像表示領域を有し、液晶素子又はＥＬ（Ｅｌｅｃｔｒｏ  Ｌｕｍｉｎｅｓｃｅｎｃｅ）素子のパネルによって構成され、表示制御部１６１において生成された表示データに基づいて所定の画像を表示するようになっている。特に、本実施形態では、表示部１６０は、培地登録アプリが実行されている際に、操作部１７０と連動しつつ、各種の表示及び撮像されて画像化されたフィルム型培地６０の画像を表示する。
【０１２４】
表示制御部１６１は、アプリケーション制御部１２０又は端末管理制御部１９０の制御の下、表示部１６０に所定の画像を描画させるために必要な描画データを生成し、生成した描画データを当該表示部１６０に出力するようになっている。
【０１２５】
操作部１７０は、各種の確認ボタン、各操作指令を入力する操作ボタン、テンキー等の多数のキー及び表示部１６０上に設けられたタッチセンサにより構成され、各操作を行う際に用いられるようになっている。具体的には、操作部１７０は、培地登録アプリの起動時に上述の各種の処理を実行するための操作を行う際に用いられるようになっている。
【０１２６】
なお、本実施形態においては、操作部１７０は、培地ＩＤ６５及び作業ＩＤを直接手入力する際に用いることも可能である。
【０１２７】
タイマー１８０は、画像データ生成部１１０がフィルム培地を撮像するときの日付及び時刻をアプリケーション制御部１２０に提供する。
【０１２８】
端末管理制御部１９０は、主に中央演算処理装置（ＣＰＵ）によって構成されるとともに、キー入力ポート、表示制御ポート等の各種入出力ポートを含み、携帯用通信端末装置１０の全般的な機能及び情報提供プログラムを実行するための全般的な機能を総括的に制御するようになっている。
【０１２９】
［５］サーバ装置
［５．１］サーバ装置の構成
次に、図８を用いて本実施形態のサーバ装置４０の構成について説明する。なお、図８は、本実施形態のサーバ装置４０の構成を示す構成図である。
【０１３０】
本実施形態のサーバ装置４０は、図８に示すように、培地情報データベース（以下、「培地情報ＤＢ」と略す。）４０１、ライン情報データベース（以下、「ライン情報ＤＢ」と略す。）４０２、ロット情報データベース（以下、「ロット情報ＤＢ」と略す。）４０３及び作業管理データベース（以下、「作業管理ＤＢ」と略す。）４０４を有するデータベース４００と、携帯用通信端末装置１０と通信を行う通信制御部４１０と、培地情報登録処理及びロット判定処理等の各種の処理を実行するデータ処理部４２０と、サーバ装置４０の各部を制御するサーバ管理制御部４３０と、各部の制御に用いるＲＯＭ／ＲＡＭ４４０と、時刻管理を行うために用いるタイマー４５０と、を有する。
【０１３１】
上述の各部は、バス４１によって相互に接続され、各構成要素間におけるデータの転送が実行される。
【０１３２】
通信制御部４１０は、所定のネットワークインターフェースであり、携帯用通信端末装置１０と通信回線を構築し、当該通信端末装置と種々のデータの授受を行う。
【０１３３】
データベース４００は、ＨＤＤにより構成され、その記録領域内に培地情報ＤＢ４０１、ライン情報ＤＢ４０２、ロット情報ＤＢ４０３及び作業管理ＤＢ４０４が構築される。
【０１３４】
培地情報ＤＢ４０１は、各作業ライン８０の工程毎に抽出された検体のフィルム型培地６０に関する培地情報がラインＩＤ及び培地ＩＤ６５毎に格納されるデータベースである。例えば、培地情報ＤＢ４０１には、
（１）培地ＩＤ
（２）撮像された培地画像データ（又は再描画された培地画像データ）
（３）撮像時刻
（４）フラグ情報を含むその他の情報
（５）コロニー数
（６）培地判定結果
（７）作業ＩＤ（指示書ＩＤ又は工程ＩＤ）
のデータが対応付けて記録される。
【０１３５】
なお、抽出すべき検体が、同一のロットにおいて、常に同一の作業ライン８０の同一の工程から抽出する場合には、作業ＩＤは、指示書ＩＤ７１であればよく、抽出すべき検体が、同一のロットであっても異なる作業ライン８０又は異なる工程から抽出する場合には、工程ＩＤ７２となる。
【０１３６】
また、コロニー数及び培地判定結果は、培地情報が登録される際に登録されてもよいし、当該培地情報の登録タイミングと異なる所定のタイミングで登録されてもよい。
【０１３７】
さらに、同一のフィルム型培地６０の培地情報の撮像時刻が複数登録される場合には（すなわち、後述の培養検査時刻が複数の場合には）、同一の培地ＩＤ６５において、培養検査時刻毎に培地画像、撮像時刻、コロニー数、培地判定の各培地情報が記憶される。
【０１３８】
ライン情報ＤＢ４０２は、各作業ライン８０に関するライン情報がラインＩＤ毎に格納されるデータベースである。例えば、ライン情報ＤＢ４０２には、
（１）ラインＩＤ
（２）作業ラインが有する工程の工程ＩＤ及びその種別
のデータが対応付けて記録される。工程種別としては、材料投入、調合、充填、ボイル、包装、及び、梱包等の各工程を特定する名称が用いられる。
【０１３９】
ロット情報ＤＢ４０３は、各ロットに関するロット情報が指示書ＩＤ７１毎に格納されるデータベースである。例えば、ロット情報ＤＢ４０３には、
（１）指示書ＩＤ（すなわち、ロットＩＤ）
（２）ロットの製造又は検査に用いる作業ラインのラインＩＤ
（３）ロットの作業開始時刻
（４）ロットの作業終了時刻
（５）ロットの作業を実行する作業者の作業班
のデータが対応付けて記録される。
【０１４０】
作業管理ＤＢ４０４は、各作業指示書７０によって特定される作業内容に関する各種の情報が指示書ＩＤ７１毎に格納されるデータベースである。例えば、作業管理ＤＢ４０４には、
（１）指示書ＩＤ
（２）検体を抽出すべき作業ラインのラインＩＤ及び工程ＩＤ
（３）検体（食品）の種別
（４）希釈倍率
（５）培養開始時刻
（６）培養開始から所定の時間経過後の時刻（以下、「培養検査時刻」ともいう。）
のデータが対応付けて記録される。
【０１４１】
なお、培養検査時刻には、単一の時刻（すなわち、検体の培養を終了させる終了時刻）だけが設定されてもよいし、培養開始時刻から法定された又は所定の時間経過後、例えば、培養開始時刻から２４時間経過後、４８時間経過後又は７２時間経過後等の複数の時刻が設定されてもよい。また、ロットＩＤ、ラインＩＤ等は、培地情報を登録する際に培地情報を登録する作業リストとして読み出され、作業者への確認等に用いられる。
【０１４２】
データ処理部４２０は、ＲＯＭ／ＲＡＭ４４０に記録されているアプリケーションに応じて各種データ処理を実行する。特に、データ処理部４２０は、所定のプログラムを実行することによって、通信制御部４１０の動作管理、各携帯用通信端末装置１０と連動して携帯用通信端末装置１０が取得した画像データを含む培地情報を培地情報ＤＢ４０１に登録する登録処理、各培地画像データにおけるコロニー数を検出するコロニー検出判定処理、登録した培地情報に基づいてロットの判定を行うロット判定処理、判定結果を報告書形式で出力する報告処理、並びに、データベース４００の管理及び制御を行う。具体的には、データ処理部４２０は、登録処理部４２１、コロニー検出判定部４２２、ロット判定処理部４２３及び報告処理部４２４を含む。
【０１４３】
なお、例えば、本実施形態の登録処理部４２１は、本発明に係る取得手段及び検索手段を構成し、コロニー検出判定部４２２は、検出手段を構成する。また、例えば、本実施形態のロット判定処理部４２３は、判定手段を構成し、報告処理部４２４は、本発明の通知手段を構成する。さらに、登録処理部４２１、コロニー検出判定部４２２、ロット判定処理部４２３及び報告処理部４２４の詳細については後述する。
【０１４４】
サーバ管理制御部４３０は、主に中央演算処理装置（ＣＰＵ）によって構成され、プログラムを実行することによって、サーバ装置４０の各部を統合制御する。具体的には、サーバ管理制御部４３０は、ユーザの操作による携帯用通信端末装置１０からのログイン要求に基づいて各ユーザのログイン処理、及び、その他の各種の制御を行う。
【０１４５】
ＲＯＭ／ＲＡＭ４４０には、サーバ装置４０の駆動に必要な各種のプログラムが記録されている。特に、ＲＯＭ／ＲＡＭ４４０には、培地判定基準情報、工程判定基準情報、ライン判定基準情報及びロット判定基準情報のそれぞれの基準情報が記憶される。また、ＲＯＭ／ＲＡＭ４４０は、各プログラムの実行中にワークエリアとして用いられる。
【０１４６】
タイマー４５０は、培地情報の登録処理及びロット判定処理を実行する際に必要な時刻を管理するために用いられる。
【０１４７】
［５．２］登録処理部
次に、本実施形態のサーバ装置４０における登録処理部４２１の詳細について説明する。
【０１４８】
本実施形態の登録処理部４２１は、携帯用通信端末装置１０と連動し、通信制御部４１０介して当該携帯用通信端末装置１０から送信された作業ＩＤ７１に基づいて、当該作業ＩＤ７１とともに送信された培地画像データを含む培地情報を培地情報ＤＢ４０１に登録する登録処理を実行する。
【０１４９】
特に、登録処理部４２１は、培地情報に含まれる、初期登録か又は培養後登録かを示すフラグ情報に基づいて、異なる培地情報登録処理を実行する。
【０１５０】
（初期登録）
登録処理部４２１は、初期登録を示すフラグ情報が携帯用通信端末装置１０から送信された培地情報（以下、「培地情報」ともいう。）に含まれている場合には、初期登録に基づく登録処理を実行する。
【０１５１】
具体的には、登録処理部４２１は、通信制御部４１を０介して作業ＩＤ７１及び培地情報を取得すると、取得した作業ＩＤ７１に基づいて、ライン情報ＤＢ４０２、ロット情報ＤＢ４０３及び作業管理ＤＢ４０４を検索し、検体を抽出した作業ライン８０のライン関連情報を特定しつつ、当該特定したライン関連情報に対応付けて、培地情報に含まれる培地ＩＤ６５、培地画像データ及び撮像時刻を培地情報ＤＢ４０１に登録する。
【０１５２】
特に、登録処理部４２１は、取得した作業ＩＤ７１に基づいて検体を抽出した作業ライン８０が含まれるロットＩＤ、当該作業ライン８０のラインＩＤ、当該検体を抽出した工程ＩＤ７２を特定するとともに、当該特定したロットＩＤ、ラインＩＤ及び工程ＩＤ７２に対応付けて、培地情報に含まれる培地ＩＤ６５、培地画像データ及び撮像時刻を培地情報ＤＢ４０１に登録する。
【０１５３】
そして、登録処理部４２１は、撮像時刻を培養開始時刻として特定したラインＩＤに対応付けて培地情報ＤＢ４０１に登録する。なお、培養開始時刻は、当該時刻に培地情報の登録処理を実行することを前提に撮像時刻に代えて予め設定された時刻を用いてもよい。
【０１５４】
（培養後登録）
登録処理部４２１は、培養後登録を示すフラグ情報が携帯用通信端末装置１０から送信された培地情報に含まれている場合には、培養後登録に基づく登録処理を実行する。
【０１５５】
具体的には、登録処理部４２１は、初期登録と同様に、通信制御部４１０を介して作業ＩＤ７１及び培地情報を取得すると、取得した作業ＩＤ７１に基づいて、ライン情報ＤＢ４０２、ロット情報ＤＢ４０３及び作業管理ＤＢ４０４を検索し、検体を抽出した作業ライン８０のライン関連情報を特定しつつ、当該特定したライン関連情報に対応付けて、培地情報に含まれる培地ＩＤ６５、培地画像データ及び撮像時刻を培地情報ＤＢ４０１に登録する。
【０１５６】
また、登録処理部４２１は、撮像時刻を培養検査時刻として特定した作業ＩＤ７１及び培地ＩＤ６５に対応付けて培地情報ＤＢ４０１に登録する。なお、培養検査時刻は、培養開始時刻と同様に、当該時刻に培地情報の登録処理を実行することを前提に撮像時刻に代えて予め設定された時刻を用いてもよい。
【０１５７】
一方、登録処理部４２１は、培地情報に含まれる培地画像データに基づいて、コロニー検出判定部４２２に培地画像データにおけるコロニー数を検出させ、検出させたコロニー数を特定したラインＩＤ及び培地ＩＤ６５に対応付けて培地情報ＤＢ４０１に登録する。
【０１５８】
そして、登録処理部４２１は、コロニー検出判定部４２２においてコロニー数に基づいて判定された各フィルム型培地６０の検体の合否判定の結果を培地情報ＤＢ４０１に登録する。
【０１５９】
なお、登録処理部４２１は、受信した培地画像データをそのまま培地情報として培地情報ＤＢ４０１に登録してもよいし、コロニー数を検出した際に生成された（すなわち、再描画された）培地画像データをも培地情報に登録してもよい。
【０１６０】
［５．３］コロニー検出判定部
次に、本実施形態のサーバ装置４０におけるコロニー検出判定部４２２の詳細について説明する。
【０１６１】
本実施形態のコロニー検出判定部４２２は、培地情報に含まれる培地画像データに基づいて、当該培地画像データにおける検体に培養されたコロニー数を検出するとともに、当該検出したコロニー数に基づいて、当該各フィルム型培地６０の検体が衛生管理上において異常であるか正常であるかの培地判定を実行する。
【０１６２】
（コロニー数の検出）
コロニー検出判定部４２２は、登録処理部４２１の制御の下、培地情報の培地情報ＤＢ４０１ベースへの登録時又は所定のタイミングにおいて、各培地画像データに基づいてコロニー数の検出を実行し、登録処理部４２１に提供する。
【０１６３】
具体的には、コロニー検出判定部４２２は、対処の培地画像データの培地領域において、各画素値が所定の値以上である画素（ピクセル）を検出する。例えば、コロニー検出判定部４２２は、Ｒ、Ｇ、Ｂの各副画素（サブピクセル）において、予め設定された最大の画素値と最小の画素値を読み出し、それぞれの副画素が読み出したそれぞれの画素値の範囲に含まれる画素（ピクセル）を検出する。なお、Ｒ、Ｇ、Ｂの各副画素（サブピクセル）における最大の画素値と最小の画素値は、例えば、管理者によって予め定められてもよいし、菌種及び希釈倍率によって予め定められてもよい。
【０１６４】
また、コロニー検出判定部４２２は、ノイズを低減させるための画像フィルタ処理を実行する。例えば、コロニー検出判定部４２２は、検出した画素（以下、「検出画素」という。）に対して当該検出画素に隣接して他の検出画素が存在する場合に、検出画素に隣接する全ての画素を検出画素に置き換える膨張処理、及び、検出画素に隣接して非検出した画素が存在する場合に当該検出画素に隣接する画素を全て非検出画素に置き換える収縮処理を実行する。
【０１６５】
そして、コロニー検出判定部４２２は、画像フィルタ処理を実行して検出画素と認識した画素に対して隣接する検出画素を連結するラベリングを実行するとともに、連結した検出画素群を一のオブジェクト、すなわち、コロニーとして認識しつつ、認識した各コロニーの重心を算出してその座標数をコロニー数として検出する。また、コロニー検出判定部４２２は、当該検出したコロニー数を登録処理部４２１に提供する。
【０１６６】
なお、コロニー検出判定部４２２は、検出したコロニー数と各コロニーの座標値に基づいて、培地画像データを再描画し、再描画した培地画像データを登録処理部４２１に提供してもよい。
【０１６７】
（検体の合否判定）
コロニー検出判定部４２２は、各フィルム型培地６０の検体が異常であるか正常であるかの培地判定（すなわち、検体の合否判定）を実行する。例えば、登録処理部４２１は、検体から検出すべき菌種によって予め設定された菌数の閾値値（すなわち、判定基準）に基づいて、各検体の合否を判定し、その結果を登録処理部４２１に提供する。
【０１６８】
特に、本実施形態においては、菌種や希釈倍率に基づいて判定基準は異なるので、登録処理部４２１は、検体を培養する際の基準及び菌種に基づいて培地判定基準情報をＲＯＭ／ＲＡＭ４４０から読み出して培地判定を実行する。
【０１６９】
各判定基準情報は、培地ＩＤ６５に対応付けて特定されるようになっている。すなわち、検体から検出する菌種毎にフィルム型培地６０の種類が異なるので、培地ＩＤ６５を特定すれば、検出すべき菌種を特定することができる。したがって、本実施形態においては、予め希釈倍率を定めておくことによって、培地ＩＤ６５に基づいて特定される判定基準情報を読み出すことができるようになっている。
【０１７０】
また、本実施形態において、工程判定、ライン判定、及び、ロット判定において各フィルム型培地６０の合否判定を用いるので、これらの各判定と対応付けて培地判定が実行される。なお、工程判定、ライン判定、及び、ロット判定において各フィルム型培地６０の合否判定の手法については後述する。
【０１７１】
［５．３］ロット判定処理部
次に、図９〜図１１の各図を用いて本実施形態のサーバ装置４０におけるロット判定処理部４２３の詳細について説明する。なお、図９〜図１１は、本実施形態のサーバ装置４０における工程判定を説明するための図である。
【０１７２】
本実施形態のロット判定処理部４２３は、管理者端末装置２０に入力された管理者の指示に基づいて、指定されたロット、作業ライン８０又は工程における衛生管理に関するデータ解析（すなわち、合否判定）を実行する。
【０１７３】
具体的には、ロット判定処理部４２３は、各ロットについて、該当するロットに用いられる作業ライン８０のライン情報と、該当する作業ライン８０に対応付けられて登録された培地情報（少なくともコロニー数）と、に基づいて、同一条件によって製造又は検査された食品群が所定の条件を具備しているか否かを判定する。
【０１７４】
具体的には、ロット判定処理部４２３は、ロット判定が指示されると、該当するロットに含まれる作業ライン８０及び当該作業ライン８０に属する工程が衛生管理上において異常であるか正常であるかの作業ライン８０のライン判定（すなわち、衛生管理上の合否の判定）及び各工程の工程判定（すなわち、衛生管理上の合否の判定）を実行し、工程判定及びライン判定を用いてロット判定を実行する。
【０１７５】
特に、ロット判定処理部４２３は、工程から検出されたフィルム型培地６０におけるコロニー数や検体の合否判定に基づいて当該工程の衛生管理上の合否を判定し、該当する作業ライン８０に含まれる工程の合否判定に基づいて当該作業ライン８０の衛生管理上の合否を判定し、該当するロットに含まれる作業ライン８０の合否判定に基づいて当該ロットの衛生管理上の合否を判定する。
【０１７６】
なお、本実施形態のロット判定処理部４２３は、ロット判定だけでなく、工程判定又はライン判定のみをデータ解析として実行してもよい。
【０１７７】
（工程判定）
ロット判定処理部４２３は、該当する工程に対応付けて登録された複数のフィルム型培地６０の培地情報に基づいて、各工程判定を実行する。すなわち、ロット判定処理部４２３は、複数のフィルム型培地６０の各判定結果に基づく、総合判定によって各工程判定を実行する。
【０１７８】
具体的には、ロット判定処理部４２３は、該当するフィルム型培地６０の培地判定結果（すなわち、工程判定を実行すべき工程の工程ＩＤ７２を有する培地情報に登録されたすべての培地判定結果）を取得するとともに、判定結果の合否の数が所定の条件を具備している場合には、判定すべき工程の工程判定を合格と判定し、当該条件を具備していない場合には、判定すべき工程の工程判定を不合格と判定する。
【０１７９】
例えば、図９に示すように、３つのフィルム型培地６０が判定すべき工程の工程ＩＤ７２を有し、第１のフィルム型培地６０のコロニー数が「２０」、第２のフィルム型培地６０のコロニー数が「３０」及び第３のフィルム型培地６０のコロニー数が「７０」でコロニー数が「３０」以下の場合に判定結果が合格とされる場合であって、所定の条件が「６０％」の合格した培地情報を有している場合に、判定すべき工程の工程判定を合格する場合を想定する。この場合には、フィルム型培地６０の３枚中２枚の判定結果が合格であるので、ロット判定処理部４２３は、当該工程を合格と判定する。
【０１８０】
また、ロット判定処理部４２３は、上述の手法に代えて、工程判定を実行すべき工程の工程ＩＤ７２を有する培地情報に含まれるコロニー数に基づいて判定すべき工程の工程判定を実行してもよい。
【０１８１】
例えば、図１０に示すように、３つのフィルム型培地６０が判定すべき工程の工程ＩＤ７２を有し、第１のフィルム型培地６０のコロニー数が「２０」、第２のフィルム型培地６０のコロニー数が「３０」及び第３のフィルム型培地６０のコロニー数が「７０」の上述と同様の場合であって、所定の条件がコロニー数の閾値「７０」以上のコロニー数を有する培地情報がない場合に、判定すべき工程の工程判定を合格する場合を想定する。この場合には、第３のフィルム型培地６０のコロニー数が「７０」であるので、ロット判定処理部４２３は、当該工程を不合格と判定する。
【０１８２】
一方、ロット判定処理部４２３は、上述のコロニー数の閾値を用いて工程判定する手法に代えて、工程判定を実行すべき工程の工程ＩＤ７２を有する全ての培地情報に含まれるコロニー数に基づいて判定すべき工程の工程判定を実行してもよい。
【０１８３】
例えば、図１１に示すように、３つのフィルム型培地６０が判定すべき工程の工程ＩＤ７２を有し、第１のフィルム型培地６０のコロニー数が「２０」、第２のフィルム型培地６０のコロニー数が「３０」及び第３のフィルム型培地６０のコロニー数が「７０」の上述と同様の場合であって、所定の条件が全てのコロニー数の平均が閾値「３０」以下の場合に、判定すべき工程の工程判定を合格する場合を想定する。この場合には、３つのフィルム型培地６０のコロニー数の平均が「４０」であるので、ロット判定処理部４２３は、当該工程を不合格と判定する。
【０１８４】
他方、ロット判定処理部４２３は、工程判定の実行する際に、工程の位置又は役割に基づいて、所定の工程に重み付けを与え、当該重み付けを加味した上で、工程判定を実行してもよい。
【０１８５】
具体的には、ロット判定処理部４２３は、最下流の工程（最終工程）等の工程位置についての判定結果の重みを高くし、ボイル又は焼く等の検出する菌が殺菌される工程についての判定結果の重みを高くする。
【０１８６】
例えば、ロット判定処理部４２３は、上述の図９の場合には、最下流の工程におけるフィルム型培地６０の合否判定結果を２倍にして工程判定を実行する。すなわち、この場合には、ロット判定処理部４２３は、第３のフィルム培地において２枚検査し、同一の値を得たとみなし、４枚のフィルム型培地６０において６０％以上となる場合に、工程を合格と判定する。例えば、図９の場合には、ロット判定処理部４２３は、フィルム型培地６０の４枚中２の判定結果が合格であるので、ロット判定処理部４２３は、当該工程を不合格と判定することになる。
【０１８７】
また、ロット判定処理部４２３は、上述の図１０の場合には、最下流の工程におけるフィルム型培地６０の合否判定時の閾値を１／２に設定して工程判定を実行する。すなわち、この場合には、ロット判定処理部４２３は、第３のフィルム培地において合否基準となるコロニー数の閾値が１／２となり、３枚のフィルム型培地６０において全てが閾値以下となる場合に、工程を合格と判定する。例えば、図１０の場合には、ロット判定処理部４２３は、第３のフィルム型培地６０の閾値は「３５」となり、コロニー数は閾値以上となるので、ロット判定処理部４２３は、当該工程を不合格と判定することになる。
【０１８８】
さらに、ロット判定処理部４２３は、上述の図１１の場合には、最下流の工程におけるフィルム型培地６０の合否判定時のコロニー数を２倍に設定して工程判定を実行する。すなわち、この場合には、ロット判定処理部４２３は、第３のフィルム培地において合否基準となるコロニー数が２倍となり、３枚のフィルム型培地６０におけるコロニー数の平均が予め定められた値（例えば「３０」）以下となる場合に、工程を合格と判定する。例えば、図１１の場合には、ロット判定処理部４２３は、第３のフィルム型培地６０のコロニー数は「７０」となり、平均は「６３．３」となるので、ロット判定処理部４２３は、当該工程を不合格と判定することになる。
【０１８９】
なお、本実施形態のロット判定処理部４２３は、各工程に登録されている培地情報の数に基づいて上述の手法のいずれかを選択してもよいし、上述の手法の２つ又は３つを組み合わせて工程判定を実行するようにしてもよい。また、この所定の条件は、検体の種別、検出する菌種等によって変更可能となっており、管理者によって設定可能、又は、プログラムの一部として提供される。
【０１９０】
（ライン判定）
ロット判定処理部４２３は、該当するライン情報に対応付けて登録された複数の工程の衛生管理上の合否判定に基づいて、各作業ライン８０のライン判定を実行する。すなわち、ロット判定処理部４２３は、複数の工程の各判定結果に基づく、総合判定によってライン判定を実行する。
【０１９１】
具体的には、ロット判定処理部４２３は、上述のように、ライン判定を実行すべき作業ライン８０のラインＩＤを有する工程の工程判定の判定結果を取得するとともに、判定結果の合否の数が所定の条件を具備している場合には、判定すべき作業ライン８０のライン判定を合格と判定し、当該条件を不具備の場合には、判定すべき作業ライン８０のライン判定を不合格と判定する。
【０１９２】
例えば、３つの工程が判定すべき作業ライン８０のラインＩＤを有している場合であって、第１工程が「合格」、第２工程が「合格」及び第３工程が「不合格」で、所定の条件が「６０％」の合格した工程から作業ライン８０が構成されている場合には、ロット判定処理部４２３は、判定すべき作業ライン８０のライン判定を合格する。
【０１９３】
（ロット判定）
ロット判定処理部４２３は、該当するロット情報に対応付けて登録された複数の作業ライン８０の衛生管理上の合否判定に基づいて、各ロットのロット判定を実行する。すなわち、ロット判定処理部４２３は、複数の作業ライン８０の各判定結果に基づく総合判定によってロット判定を実行する。
【０１９４】
具体的には、ロット判定処理部４２３は、ロット判定を実行すべきロットのロットＩＤを有する作業ライン８０の衛生管理情報の合否判定に基づいて判定すべきロットのロット判定を実行する。
【０１９５】
例えば、所定の条件が「６０％」の合格した作業ライン８０からロットが構成されている場合に、ロット判定処理部４２３は、判定すべきロットのロット判定を合格とする場合であって、３つの作業ライン８０が判定すべきロットのロットＩＤを有している場合を想定する。この場合において、第１作業ライン８０が「合格」、第２作業ライン８０が「合格」及び第３作業ライン８０が「不合格」の場合には、ロット判定処理部４２３は、判定すべきロットのロット判定を合格と判定する。
【０１９６】
なお、ロットの作業時間が長時間に及ぶ場合には、所定の時間（例えば８時間又は１２時間）毎に時間を区切ってロットの判定を実行してもよい。この場合には、作業が中断している間のロット判定を実行する場合には、ダミーの結果を用いてもよいし、作業中断中として判定してもよい。
【０１９７】
（その他）
ロット判定処理部４２３は、培地情報、ライン情報、ロット情報及び作業管理ＤＢを用いて、上述以外の判定及びデータ解析を行うことができるとともに、報告処理部４２４を介して当該判定結果又はデータ解析結果を管理者が閲覧可能に管理者端末装置２０に提供することができるようになっている。
【０１９８】
具体的には、ロット判定処理部４２３は、各フィルム型培地６０に培養された検体の信頼性を確認するために、すなわち、検査ミスが発生していない否かを確認するために、一の培地ＩＤにおける培地情報を培養開始時時刻から培養の終了まで、時系列に培地情報又は培地画像データの所定の解析を実行する。
【０１９９】
例えば、ロット判定処理部４２３は、管理者端末装置２０を介して受信した管理者の指示に基づいて、特定の培地ＩＤ（同一の培地ＩＤ）を有し、培養開始時刻から所定の時刻までの複数の培地情報を、培地画像データとともに抽出する。そして、ロット判定処理部４２３は、各培地情報及び各画像データについて所定の時系列に沿って所定の解析を実行し、又は、各培地情報及び各画像データを時系列に沿って集約する。また、ロット判定処理部４２３は、報告処理部４２４に、解析結果又は集約結果を所定のデータ形式を有する閲覧データに生成させ、当該生成させた閲覧データを管理者に閲覧可能に管理者端末装置２０に提供させる。
【０２００】
なお、ロット判定処理部４２３は、報告処理部４２４と連動して、このとき、管理者端末装置２０の指示に基づいて、法定された衛生管理の報告用に、一の培地ＩＤにおける各培地情報を個々に閲覧可能にさせてもよい。
【０２０１】
また、ロット判定処理部４２３は、培地情報、ライン情報、ロット情報又は作業管理情報の検索機能を有していてもよい。具体的には、ロット判定処理部４２３は、ロットＩＤ、作業ラインＩＤ、工程ＩＤ、培養開始時刻、ロットの作業日時、培地ＩＤ、検体の種別などを検索キーとしてデータベース４００を検索し、報告書処理部４２４と連動し、該当する培地情報や各種の情報を管理者に閲覧可能なデータを生成してもよい。
【０２０２】
なお、報告書処理部４２４は、管理者端末装置２０を介して受信した管理者の指示に基づいて、検索によって特定された培地情報（培地画像データ、コロニー数及び培地判定結果）、工程情報、ライン情報、又は、ロッドに関する情報を所定の報告形式で提供することも可能である。すなわち、報告書処理部４２４は、法定の検査報告その他の場合においてその証拠又は報告書として種々の情報を提供することができるように構成されている。
【０２０３】
［５．４］報告処理部
次に、本実施形態のサーバ装置４０における報告処理部４２４の詳細について説明する。
【０２０４】
報告処理部４２４は、管理者端末装置２０に入力された管理者の指示及び所定の報告書形式を有するテンプレートデータに基づいて、指定されたロット、作業ライン８０又は工程における衛生管理に関するデータ解析の解析結果（すなわち、合否判定の判定結果）を報告書データとして生成し、生成した報告書データを、通信制御部４１０を介して管理者に閲覧可能に管理者端末装置２０に提供する。
【０２０５】
具体的には、報告処理部４２４は、培地画像データ、コロニー数又は培地判定結果等、培地情報、ライン情報及びロット情報から必要な情報を抽出するとともに、抽出した情報とロット判定処理部４２３によって得られた解析結果に基づいて、テンプレートデータに各情報を割り当てつつ、報告書データを生成する。そして、報告処理部４２４は、生成した報告書データを管理者端末装置２０に提供する。
【０２０６】
また、報告書処理部４２４は、上述したように、種々の解析又は検索に応じて所定の報告書データ又は閲覧データを生成し、管理者端末装置２０に提供することができるように構成されている。すなわち、報告処理部４２４は、受信した管理者の指示に基づいて、検索によって特定された培地情報、工程情報、ライン情報、又は、ロッドに関する情報を所定の報告形式で提供することも可能であるとともに、法定の検査報告その他の場合においてその証拠又は報告書として種々の情報を提供することができるように構成されている。
【０２０７】
［６］衛生管理システムの動作処理
［６．１］培地情報の登録処理
次に、図１２〜図１４の各図を用いて本実施形態の携帯用通信端末装置１０及びサーバ装置４０における培地情報の登録処理の動作について説明する。なお、図１２は、本実施形態の携帯用通信端末装置１０における培地情報の登録処理の動作を示すフローチャートであり、図１３は、携帯用通信端末装置１０において培地情報を送信する際に表示部１６０に表示される画像の一例である。また、図１４は、本実施形態のサーバ装置４０における培地情報の登録処理の動作を示すフローチャートである。
【０２０８】
本動作においては、ライン情報ＤＢ４０２及びロット情報ＤＢ４０３には、既に作業指示書７０に対応付けられた該当するロット情報及びライン情報が記憶されているものとする。また、フィルム型培地６０及び作業指示書７０には、２次元バーコードによって培地ＩＤ又は指示書ＩＤが付されているものとする。さらに、本動作においては、各フィルム型培地６０におけるコロニー数の検出は、培地情報のデータベース４００への登録時に実行されるものとする。
【０２０９】
まず、携帯用通信端末装置１０において、アプリケーション制御部１２０は、操作部１７０を介して培地登録アプリの起動指示を検出すると（ステップＳ１０１）、アプリケーション記憶部１０１から培地登録アプリを読み出して起動する（ステップＳ１０２）。このとき、アプリケーション制御部１２０は、端末管理制御部１９０の制御下、ワークメモリの初期化その他の必要な処理を実行する。
【０２１０】
次いで、アプリケーション制御部１２０は、表示制御部１６１と連動し、フィルム型培地６０の初期登録であるか、又は、培養開始から所定の時間経過した培養後登録であるか選択させるための画像を表示部１６０に表示させてその入力を待機する（ステップＳ１０３）。例えば、アプリケーション制御部１２０は、表示制御部１６１と連動して図５に示す画像を表示部１６０に表示させる。
【０２１１】
次いで、アプリケーション制御部１２０は、操作部１７０による選択指示の入力を検出すると（ステップＳ１０４）、初期登録か培養後登録かを判断し、フラグ情報にその結果を設定する（ステップＳ１０５）。
【０２１２】
次いで、アプリケーション制御部１２０は、フィルム型培地６０の撮像を促す画面を表示部１６０に表示させ、操作部１７０と連動し、画像データ生成部１１０による撮像を待機する（ステップＳ１０６）。例えば、アプリケーション制御部１２０は、表示制御部１６１と連動して図６（Ａ）に示す画像を表示部１６０に表示させる。
【０２１３】
次いで、アプリケーション制御部１２０は、画像データ生成部１１０、表示制御部１６１及び操作部１７０と連動しつつ、画像データ生成部１１０による撮像を検出すると（ステップＳ１０７）、画像データ生成部１１０によって培地ＩＤ６５とともに画像化されたフィルム型培地６０の培地画像データを取得し、画像データ記憶部１０２に所定の画像ＩＤを付与しつつ記憶する（ステップＳ１０８）。
【０２１４】
次いで、アプリケーション制御部１２０は、タイマー１８０より現在時刻を培地画像データの撮像時刻として取得し、当該培地画像データに対応付けてメタデータとして画像データ記憶部１０２に記憶する（ステップＳ１０９）。
【０２１５】
次いで、アプリケーション制御部１２０は、取得した画像化された培地画像データの所定の領域に形成された２次元バーコードを解析して培地ＩＤ６５を取得し、当該培地画像データに対応付けて画像データ記憶部１０２に記憶する（ステップＳ１１０）。
【０２１６】
次いで、アプリケーション制御部１２０は、表示制御部１６１と連動して指示書ＩＤ７１及び工程ＩＤ７２とともに指示書画像データを取得するための画面を表示部１６０に表示させ、指示書画像データの取得を待機する（ステップＳ１１１）。例えば、アプリケーション制御部１２０は、表示制御部１６１と連動して図７（Ａ）に示す画像を表示部１６０に表示させる。
【０２１７】
次いで、アプリケーション制御部１２０は、画像データ生成部１１０、表示制御部１６１及び操作部１７０と連動しつつ、画像データ生成部１１０による撮像を検出すると（ステップＳ１１２）、作業ＩＤ７１が画像化された指示書画像データを取得し、ステップＳ１０８によって取得した培地画像データに対応付けて画像データ記憶部１０２に記憶する（ステップＳ１１３）。
【０２１８】
なお、アプリケーション制御部１２０は、工程ＩＤ７２を作業ＩＤ７１として取得する場合、又は、複数の工程ＩＤ７２から一の工程ＩＤ７２を取得する場合には、表示制御部１６１及び操作部１７０と連動しつつ、ユーザに取得すべき工程ＩＤ７２を選択させる表示をし、該当する工程ＩＤ７２を取得する。
【０２１９】
次いで、アプリケーション制御部１２０は、取得した画像化された指示書画像データの所定の領域に形成された２次元バーコードを解析して作業ＩＤ７１を取得し、当該指示書画像データに対応付けて画像データ記憶部１０２に記憶する（ステップＳ１１４）。
【０２２０】
次いで、アプリケーション制御部１２０は、表示制御部１６１及び操作部１７０と連動して作業者に取得した培地画像データ、培地ＩＤ６５、指示書画像データ、作業ＩＤ７１及び撮像時刻を確認させる（ステップＳ１１５）。なお、アプリケーション制御部１２０は、取得した培地情報の作業者による確認時に、作業者の指示に基づいて、画像データ及び指示書画像データの再取得を行っていてもよい。また、このとき、アプリケーション制御部１２０は、表示制御部１６１及び操作部１７０と連動して作業者によって各画像データの補正及び培地情報の補正を行うことができるようにしてもよい。
【０２２１】
次いで、アプリケーション制御部１２０は、作業者の指示に基づいて、初期登録か培養後登録かを示すフラグ情報及び端末ＩＤと作業指示ＩＤとともに、取得した画像データとそのメタデータ、及びフラグ情報を培地情報として、ネットワーク通信部１３０を介してサーバ装置４０に送信し（ステップＳ１１６）、携帯用通信端末装置１０の登録処理を終了する。
【０２２２】
このとき、表示制御部１６１は、表示部１６０に図１３に示す画像を表示させる。また、ネットワーク通信部１３０は、培地情報を送信する際に、端末ＩＤや入力されたＩＤ及びパスワードに基づいてサーバ装置４０へのアクセスをするためのログインを実行し、ログイン完了後にサーバ装置４０との通信回線を確立し、培地情報を送信する。
【０２２３】
一方、サーバ装置４０においては、通信制御部４１０が携帯用通信端末装置１０から送信された作業ＩＤ７１及び培地情報を受信すると（ステップＳ２０１）、登録処理部４２１は、受信した培地情報に含まれるフラグ情報に基づいて、初期登録か培養後登録であるかを判定する（ステップＳ２０２）。このとき、登録処理部４２１は、初期登録と判定した場合には、ステップＳ２０３の処理に移行し、初期登録でないと判定した場合には、すなわち、培養後登録と判定した場合には、ステップＳ２０４の処理に移行する。
【０２２４】
次いで、登録処理部４２１は、初期登録と判定した場合には、作業ＩＤ７１に基づいて、ロット情報及びライン情報等のライン関連情報に対応付けつつ、培地情報を培地情報ＤＢ４０１に登録し（ステップＳ２０３）、本動作を終了する。なお、培養開始時刻は作業管理ＤＢ４０４に予め記憶されているが、登録処理部４２１は、ステップＳ２０３の処理において、受信した培地情報に含まれる撮像時刻を培養開始時刻として作業管理ＤＢ４０４に登録してもよい。
【０２２５】
一方、登録処理部４２１は、培養後登録と判定した場合には、取得した作業ＩＤ７１に基づいて作業管理ＤＢ４０４を検索し（ステップＳ２０４）、当該作業ＩＤ７１を有するロット情報及び検体を抽出すべき作業ライン８０のライン情報等のライン関連情報を特定しつつ、培地情報に含まれる撮像時刻に基づいて培地情報を登録する培養検査時刻を特定する（ステップＳ２０５）。
【０２２６】
なお、このとき、登録処理部４２１は、携帯用通信端末装置１０と連動して培地情報を登録する培養検査時刻を指定させて登録してもよいし、受信した培地情報に含まれる撮像時刻を培養検査時刻としてそのまま登録してもよい。
【０２２７】
また、登録処理部４２１は、既に実行された培養検査時刻における培地登録を管理し、培地情報を受信したタイミング及び既に培地情報の登録に用いた培養検査時刻に基づいて、培養検査時刻を特定してもよい。すなわち、登録処理部４２１は、培地情報の登録を実行する毎に実行フラグを書き換え、当該フラグの情報を参照しつつ、受信した撮像時刻と比較して、培養検査時刻を特定してもよい。
【０２２８】
次いで、登録処理部４２１は、コロニー検出判定部４２２に検体のコロニーの数を検出させる（ステップＳ２０６）。具体的には、コロニー検出判定部４２２は、培地画像データの画像上の所定領域を画像解析させてコロニー数を検出する。
【０２２９】
次いで、コロニー検出判定部４２２は、作業ＩＤ７１に基づいて特定された検体の種別及び検出する菌種に基づいて、培地判定基準を読み出しつつ、当該読み出した検体判定基準に基づいて、検出したコロニー数が所定の条件を具備するか否かを判定する（ステップＳ２０７）。すなわち、コロニー検出判定部４２２は、所定の条件を具備する場合には、合格（正常）と判定し、所定の条件を不具備な場合には、不合格（異常）と判定する。
【０２３０】
例えば、コロニー検出判定部４２２は、特定されたライン情報に基づいて培地判定基準を読み込みつつ、検出したコロニー数が培地判定基準情報によって示される閾値以下の場合には、合格と判定し、当該検出したコロニー数が閾値より多い場合には、不合格と判定する。
【０２３１】
なお、コロニー検出判定部４２２は、上述の自動登録に代えて、携帯用通信端末装置１０と連動し、検出したコロニー数及び合否判定の結果を当該携帯用通信端末装置１０の表示部１６０に表示させ、ユーザに閲覧及び確認させるようにしてもよい。
【０２３２】
次いで、登録処理部４２１は、認識した培地ＩＤ６５とともに、判定された合否、検出されたコロニーの数及び培地情報に含まれる撮像時刻を培養開始時刻とした培養開始時刻情報を、特定した作業ＩＤ７１対応付けて培地情報ＤＢ４０１に登録し（ステップＳ２０８）、本動作を終了する。
【０２３３】
なお、登録処理部４２１は、ライン情報及び登録すべき情報を携帯用通信端末装置１０の表示部１６０に表示させ、当該携帯用通信端末装置１０を介して入力されたユーザ指示に基づいて、培地情報等の登録をするようにしてもよい。
【０２３４】
また、携帯用通信端末装置１０から培地画像データ及び指示書画像データが送信され、サーバ装置４０によって各画像データを解析することによって培地ＩＤ６５及び作業ＩＤ７１を認識する場合には、登録処理部４２１は、ステップＳ２０１の処理において、受信した指示書画像データ及び培地画像データのそれぞれの所定の領域上に画像化された作業ＩＤ７１及び培地ＩＤ６５を解析して当該作業ＩＤ７１及び培地ＩＤ６５を認識して取得するようになる。
【０２３５】
［６．２］ロット判定処理
次に、図１５を用いて本実施形態のサーバ装置４０におけるロット判定処理の動作について説明する。なお、図１５は、本実施形態のサーバ装置４０におけるロット判定処理の動作を示すフローチャートである。
【０２３６】
本動作において、該当する培地情報が登録されているものとし、工程判定基準情報、ライン判定基準情報及びロット判定基準情報が予め登録されているものとする。
【０２３７】
まず、サーバ装置４０の通信制御部４１０が、管理者端末装置２０から送信されたロット判定指示を受信すると（ステップＳ３０１）、ロット判定処理部４２３は、通信制御部４１０と連動し、ロット判定可能なロットＩＤを検索して当該ロット判定可能なロットＩＤ（すなわち、指示書ＩＤ７１）及びそれに対応するロット情報を、管理者に閲覧及び選択可能に管理者端末装置２０に送信し、ロット判定処理を実行するロットＩＤの指示を待機する（ステップＳ３０２）。
【０２３８】
なお、管理者端末装置２０には、ロット判定可能なロットＩＤを管理者に閲覧及び選択可能に所定の表示画面に表示させる。
【０２３９】
次いで、通信制御部４１０が、管理者によって特定されたロットＩＤを、管理者端末装置２０を介して受信すると（ステップＳ３０３）、ロット判定処理部４２３は、該当するロットに属する工程の工程判定、ライン判定及びロット判定の条件を示す各判定基準情報をＲＡＭ／ＲＯＭ４４０から読み出す（ステップＳ３０４）。
【０２４０】
次いで、ロット判定処理部４２３は、該当するロットＩＤの各種のロット情報、ライン情報及び培地情報を読み出し（ステップＳ３０５）、読み出したロット情報、ライン情報及び培地情報に基づいて、工程判定及びライン判定を実行しつつ、ロット判定を行う（ステップＳ３０６）。具体的には、ロット判定処理部４２３は、ロット情報によって特定された各工程の工程判定を実行し、当該工程判定の工程判定結果に基づいて、ロット情報によって特定された各作業ライン８０のライン判定を実行する。そして、ロット判定処理部４２３は、ライン判定結果に基づいてロット判定を実行する。
【０２４１】
次いで、ロット判定処理部４２３は、判定の報告形式となる予め定めたテンプレート情報を読み出しつつ、ロット判定結果を、当該テンプレートに割り当てて、報告書データを生成する（ステップＳ３０７）。
【０２４２】
最後に、ロット判定処理部４２３は、通信制御部４１０と連動して生成した報告書データを該当する管理者端末装置２０に提供して（ステップＳ３０８）本動作を終了させる。
【０２４３】
なお、管理者端末装置２０は、報告書データを受信すると、管理者に閲覧可能に表示させる。ただし、ロット判定処理部４２３は、管理者端末装置２０に報告書データを送信せずに、プリンタに印刷可能に印刷データとして送信してもよい。
【０２４４】
［７］変形例
［７．１］変形例１
本実施形態において、複数の工程又は複数の作業ライン８０が存在する場合には、作業者の指示に基づいて検体を抽出した工程又は作業ライン８０を特定し、作業ＩＤ７１を特定している点に代えて、携帯用通信端末装置１０におけるＧＰＳ機能その他の現在位置検出機能を用いて工程又は作業ライン８０を特定してもよいし、工程又は作業ライン８０における検体が検出されたエリア（以下、「抽出エリア」ともいう。）を特定してもよい。
【０２４５】
具体的には、フィルム型培地６０を撮像する位置が検体を抽出した位置又は工程と一致する場合には、携帯用通信端末装置１０においては、アプリケーション制御部１２０は、培地画像を抽出する際に現在位置検出部１５０に現在位置を検出させ、当該検出した位置情報又は当該位置が属するエリアを培地情報とともに抽出エリアとしてサーバ装置４０に送信する。
【０２４６】
また、サーバ装置４０においては、登録処理部４２１は、予めライン情報に記憶された作業ライン８０位置又は工程位置の位置情報と比較し、作業ライン８０又は工程の特定を実行する。この場合には、例えば、登録処理部４２１は、本発明の工程情報取得手段を構成する。
【０２４７】
なお、サーバ装置４０においては、登録処理部４２１は、各工程における検体を抽出した抽出エリアを培地情報として登録し、ロット判定処理部４２３は、抽出エリア毎に、または、各抽出エリアから均等に取得した培地情報に基づいて、工程判定、ライン判定及びロット判定を実行してもよい。
【０２４８】
例えば、登録処理部４２１は、位置情報に基づいて工程前段、工程中段、工程後半又は作業ライン８０上の食品が流れている物理的なエリアが、左側、中側、右側などの抽出エリアを特定して培地情報に登録し、ロット判定処理部４２３は、工程前段、工程中段、工程後半若しくは左側、真ん中、右側の工程判定を実行し、又は、（判定に用いるフィルム型培地の数を均等になるように）工程前段、工程中段、工程後半若しくは左側、真ん中、右側の培地情報を均等に取得して工程判定を実行してもよい。
【０２４９】
［７．２］変形例２
本実施形態において、タブレット型情報端末装置、スマートフォン又は携帯用電話機等の携帯用通信端末装置１０を用いて培地情報の登録処理を実行している点に代えて、ラップトップ型又はデスクトップ型のパーソナルコンピュータと、スキャナ、デジタルカメラ又はスマートフォン等の画像入力装置と、によって当該培地情報の登録処理を実現してもよい。
【０２５０】
この場合には、パーソナルコンピュータと画像入力装置とを所定の通信規格によって接続し、パーソナルコンピュータと画像入力装置とを一体的に用いて当該培地情報の登録処理を実現してもよいし、メモリカードその他の物理的なメモリに画像入力装置によって先に取得した培地画像データ及び指示書画像データを記憶させ、当該記憶させた各画像データをパーソナルコンピュータによって取り込みつつ、当該培地情報の登録処理を実現してもよい。
【０２５１】
［７．３］変形例３
本実施形態において、各培地情報を取得及び登録する際に、培地情報に当該培地情報を使用する目的の種別を示す目的種別情報を含め、目的種別情報に基づいて培地判定、工程判定、ライン判定及びロット判定が実行されてもよい。
【０２５２】
具体的には、携帯用通信端末装置１０においては、アプリケーション制御部１２０は、登録すべき培地情報の使用目的の情報を目的種別情報として取得し、培地情報に含めてサーバ装置４０に送信する。例えば、目的種別情報としては、予備検査用であるか、本検査用であるか又は再検査用であるか等の検体の検査時における使用目的の情報が含まれる。
【０２５３】
また、サーバ装置４０においては、登録処理部４２１は、取得した培地情報に含まれる目的種別情報を培地情報ＤＢ４０１に各培地ＩＤ６５に対応付けて登録する。
【０２５４】
一方、ロット判定処理部４２３は、通常検査（本検査）を実行する際には、通常検査（本検査）用である旨を示す培地情報を用いて各種の判定を実行する。そして、ロット判定処理部４２３は、通常検査用のフィルム型培地６０の培地情報の登録異常、読み出し異常、データの喪失等が生じた場合に、予備検査用である旨を示す培地情報によってデータを補填し、各種の判定を実行する。
【０２５５】
また、ロット判定処理部４２３は、各判定の判定結果が異常（不合格）と判定した場合であって再判定（すなわち、再検査）する場合に、再検査用である旨を示す培地情報に基づいて、又は、本検査用の培地情報とともに当該再検査用の培地情報に基づいて、信頼度を向上させるための再判定を実行する。
【０２５６】
この場合には、培地情報ＤＢ４０１には、各培地ＩＤ６５に対応付けてフラグ情報によって目的種別情報が登録され、ロット判定処理部４２３は、フラグ情報を読み取りつつ、管理者の指示に基づいて、必要な培地情報を培地情報ＤＢ４０１から取得する。
【０２５７】
また、この場合には、目的に応じて登録した培地情報を用いることが可能に情報を登録することができるので、様々なデータ解析に用いることが可能であり、かつ、データ解析の信頼性の向上を図ることが可能なようにデータ管理を実行させることができる。
【０２５８】
［７．４］変形例４
本実施形態においては、携帯用通信端末装置１０、管理者端末装置２０、サーバ装置４０が同一敷地内で設置又は使用されてもよいし、それぞれが国外などの遠隔地に設置され、又は、遠隔地にて使用されて上述の各処理が実行されてもよい。ただし、携帯用通信端末装置１０は、同一ロットにおいて使用させることが前提となる。
【０２５９】
［７．５］変形例５
本実施形態においては、フィルム型培地６０を用いて当該フィルム型培地６０に培養された検体における培地情報の登録を実行しているが、寒天培地を用いて当該寒天培地に培養された検体における培地情報の登録を実行してもよい。
【０２６０】
この場合には、寒天培地毎に２次元バーコード等の培地ＩＤ６５が発行され、当該培地ＩＤ６５が寒天培地のシャーレに添付し、携帯用通信端末装置１０は、当該シャーレに添付された培地ＩＤ６５を撮像することによって取得する。なお、この場合において、培地ＩＤ６５が記憶されるＩＣタグを用いる場合には、当該ＩＣタグがシャーレに形成されていればよい。
【０２６１】
［７．６］変形例６
本実施形態において、画像データ生成部１１０によって培地ＩＤ６５又は作業ＩＤ７１を撮像してそれぞれ培地ＩＤ６５又は指示書ＩＤ７１を取得する点に代えて、作業者の操作入力によって培地ＩＤ６５及び作業ＩＤ７１を入力させるようにしてもよい。
【０２６２】
この場合には、アプリケーション制御部１２０は、表示制御部１６１及び操作部１７０と連動し、作業者に培地ＩＤ６５及び作業ＩＤ７１を、操作部１７０を用いて直接手入力させる。
【０２６３】
また、アプリケーション制御部１２０は、クリック又はタッチ選択等によって、プルダウンメニュー等の表示項目を選択させるように表示制御部１６１及び操作部１７０を制御させて、作業者に培地ＩＤ６５及び作業ＩＤ７１を入力させる。
【０２６４】
なお、この場合には、操作部１７０は、培地識別情報入力手段及び作業情報入力手段を構成する。
【０２６５】
［７．７］変形例７
本実施形態にておいて、培地情報と作業ＩＤ７１をサーバ装置４０に送信すると、データベース４００に登録される点に代えて、携帯用通信端末装置１０がサーバ装置４０に設けられたデータベース４００と同様でかつ簡易的なデータベースを有し、培地情報の取得時に当該データベースによって作業内容その他の各種の情報を参照しつつ、当該培地情報を取得してもよい。
【０２６６】
この場合には、アプリケーション制御部１２０は、各培地情報を取得する際に、携帯用通信端末装置１０に形成された培地情報ＤＢ、ライン情報ＤＢ、ロット情報ＤＢ及び作業管理ＤＢによって各情報と照合し、かつ、表示部１６０に取得すべき培地情報が正しいか否かを表示しつつ、各培地情報を取得する。
【０２６７】
なお、携帯用通信端末装置１０に簡易的なデータベースを設けずに、にサーバ装置４０と連動してライン情報ＤＢ４０２、ロット情報ＤＢ４０３及び作業管理ＤＢ４０４と照合しつつ、各培地情報の入力を実行して取得してもよい。
【０２６８】
［７．８］変形例８
本実施形態にておいて、ロット判定結果を報告書データによって管理者端末装置２０に提供する点に代えて、工程判定結果のみ、ライン判定結果のみ、特定の工程判定結果のみ、特定のライン判定結果のみ又はこれらの組み合わせを報告書データによって管理者端末装置２０に提供してもよい。
【０２６９】
この場合には、ロット判定処理部４２３は、特定された工程又は作業ライン８０の判定結果を報告書データに割り当てて管理者端末装置２０に送信するようになっている。
【０２７０】
なお、ロット判定処理部４２３は、判定結果を報告書データに割り当てて管理者端末装置２０に提供しているが、報告書データの提供に関係なく、工程判定結果、ライン判定結果、又は、ロット判定結果について異常（不合格）と判定した場合には、電子メール、音又は光によって、管理者、作業者又はその他のユーザにロットその他に異常があった旨又は再検査が必要である旨を示す警報をしてもよい。
【０２７１】
この場合には、ロット判定処理部４２３は、予め登録された電子メールに送信し、又は、予め登録された場所の警報器を作動させる。特に、電子メールによる警報としては、異常となった工程、作業ライン８０又はロットの異常を示す内容だけ通知してもよいし、再検査を促す内容を通知してもよい。
【０２７２】
［７．９］変形例９
本実施形態にておいては、サーバ装置４０によって検体のコロニー数を検出し、培地判定を行っているが、携帯用通信端末装置１０にコロニー数の検出プログラム及び培地判定プログラムを搭載し、当該検体のコロニー数及び培地判定のいずれか又は双方を実行するようにしてもよい。
【０２７３】
この場合には、アプリケーション制御部１２０は、培地情報とともに検出したコロニー数又は培地判定結果をサーバ装置４０に培地情報として送信する。
【０２７４】
［７．１０］変形例１０
本実施形態にておいては、単一のサーバ装置４０によって各種の処理を実行しているが、複数のサーバ装置４０から構成されるサーバシステムによって各種の処理を実行するようにしてもよい。
【０２７５】
［７．１１］変形例１１
本実施形態にておいては、基本的に、培地画像データを撮像する際には、フィルム型培地６０の一部に付されている培地ＩＤ６５をも同時に画像として取得するようになっているが、培地画像データを取得する際に、登録する際に又は所定のタイミングに、作業者又は管理者によって操作入力されてもよいし、画像として取得して上述の実施形態と同様に認識されてもよい。また、上述のように寒天培地を用いる場合には、培地ＩＤ６５は、シャーレに付されていてもよいし、上述のようにＩＣタグを用いる場合には、培地ＩＤ６５を記憶するＩＣタグがフィルム型培地６０その他の培地に貼り付けられていてもよい。
【０２７６】
以上、本実施形態の衛生管理システムＳは、携帯用通信端末装置１０と連動して培地ＩＤ６５をライン情報に対応付けてデータベース４００に登録することができるので、従来、フィルム型培地６０の報告書を作成する際に必要となるライン情報を、フィルム型培地の所定のスペースや培地の容器等に作業者が直接手書きで記入していた場合と比べて、培地情報とライン情報を容易に対応付けて登録することができる。
【０２７７】
したがって、本実施形態の衛生管理システムＳは、各情報を登録する作業者の煩雑さを解消して培地情報の登録ミスを防止することができるとともに、容易にデータ管理ができるように培地情報を登録することができる。
【０２７８】
また、本実施形態の衛生管理システムＳは、フィルム型培地６０が画像化された画像データをも培地識別情報とライン関連情報とを対応付けてデータベース４００に登録することができるので、培地画像データを所定の画像解析することによって培地のコロニーの数も検出してその情報をも登録することができる。
【０２７９】
したがって、本実施形態の衛生管理システムＳは、各フィルム型培地６０の解析をも自動化して登録することができるので、各培地に培養された検体の評価だけでなく、工程、作業ライン８０又はロットの衛生状態をも自動的に判断することが可能な情報を容易に登録させることができる。
【０２８０】
また、本実施形態の衛生管理システムＳは、検体の培養の開始時刻又は培地画像データの撮像時刻をも培地ＩＤ６５とライン関連情報とを対応付けてデータベース４００に登録することができるので、培養開始時刻、培養開始から２４時間後、４８時間後、又は、それ以上等培養開始からの経過時間に伴って変化する培地画像を培地画像データとして培地情報とともにデータベース４００に登録させることができる。
【０２８１】
したがって、本実施形態の衛生管理システムＳは、単一のフィルム型培地６０であって異なる時刻において検体の培養状況を検査する場合にも、培地情報の誤登録を防止することができるとともに、複雑になる培地の情報管理を容易にすることができるとともに、登録後に培地情報を時系列に沿って確認することも容易になるように当該培地情報を登録させることができる。
【０２８２】
また、本実施形態の衛生管理システムＳは、フィルム型培地６０そのものを管理するために必要な容器、包装材、管理用のマーキングの余白その他の部分に、二次元バーコード等のバーコード又は文字で培地識別情報が形成されているので、フィルム型培地６０を撮像する際に、当該フィルム型培地６０とともに画像化された培地ＩＤ６５を認識することができるので、作業者による入力作業を簡略しつつ、培地情報を他の培地情報と識別させつつ登録させることができる。
【０２８３】
また、本実施形態の衛生管理システムＳは、作業ライン８０の衛生状態を判断する際に必要な各種の情報をライン関連情報として培地情報に対応付けて登録することができるので、作業ライン８０の衛生状態等の各種の解析に用いることが可能な情報を容易に登録させることができる。
【０２８４】
また、本実施形態の衛生管理システムＳは、フィルム型培地６０の画像データを登録すれば、同一条件によって製造または検査された食品群（すなわち、ロット）が衛生管理上において異常であるか正常であるかを判定し、その結果を管理者に通知することができるので、当該食品群の衛生管理に関する評価のための作業を自動化することができる。
【０２８５】
したがって、本実施形態の衛生管理システムＳは、ロットの管理を行う管理者の煩雑な作業負担を解消させることができるとともに、判定を一元化することができるので、容易にかつ確実に当該食品群の衛生管理を実行することができる。
【０２８６】
また、本実施形態の衛生管理システムＳは、各フィルム型培地６０の衛生状態を判定しつつ、ロットの衛生状態を判定することができるので、当該ロットの衛生状態を確実に判定することができるとともに、各フィルム型培地６０の解析をも自動化することができるので、食品群の異常が発見された場合の原因も迅速に解明することができる。
【０２８７】
また、本実施形態の衛生管理システムＳは、フィルム型培地６０の衛生状態を判定する際に、当該フィルム培地６０に培養された検体の工程又はその位置を特定することができるので、ロットの異常が発見された場合の原因も迅速に解明することができる。
【０２８８】
また、本実施形態の衛生管理システムＳは、培養する検体又は検出する菌種に基づいて培地判定、工程判定、ライン判定及びロット判定の各判定基準を複数の中から選択して用いることができるので、種々の食品群の衛生管理に用いることができるともに、作業ラインが組み替えられた場合であっても、迅速に対応することができる。
【０２８９】
また、本実施形態の衛生管理システムＳは、培養開始時刻が予め登録されていれば、撮像時刻によって培養開始時刻からの経過時間を認識することができるので、培養開始時刻、培養開始から２４時間後、４８時間後、又は、それ以上等培養開始からの経過時間に伴って変化するロットの衛生管理を行うことができる。
【０２９０】
また、本実施形態の衛生管理システムＳは、ロット等において、衛生管理上の異常が発生した場合には、迅速に管理者に通知されるので、ロットの出荷停止などの迅速な対応を実行させることができる。
【０２９１】
また、本実施形態の衛生管理システムＳは、作業ラインに関する衛生管理を実行するために用いる培地情報をデータベースに登録させることによって登録ミスを著しく減少させ、難しい培地の管理を容易にすることができるので、無駄に培地を消費すること無く省資源化を図ることができる。そして、本実施形態の衛生管理システムＳは、作業ラインに関する衛生管理を、電子的なデータによって解析可能となるとともに、その解析結果の提供をも電子的に実行することができるので、紙媒体などの物理的な資源を利用して種々のデータ解析及びその提供を行う場合に比べて省資源化をも図ることができる。
【産業上の利用可能性】
【０２９２】
本発明は、食品用の衛生管理システム等に利用することができる。
【符号の説明】
【０２９３】
Ｓ  …  衛生管理システム
１０  …  携帯用通信端末装置
２０  …  管理者端末装置
３０  …  ネットワーク
４０  …  サーバ装置
６０  …  フィルム型培地
７０  …  作業指示書
８０  …  作業ライン
１００  …  データ記憶部
１０１  …  アプリケーション記憶部
１０２  …  画像データ記憶部
１１０  …  画像データ生成部
１２０  …  アプリケーション制御部
１３０  …  ネットワーク通信部
１４０  …  近距離無線通信インターフェース
１５０  …  現在位置検出部
１６０  …  表示部
１７０  …  操作部
１８０  …  タイマー
１９０  …  端末管理制御部
４００  …  データベース
４１０  …  通信制御部
４２０  …  データ処理部
４２１  …  登録処理部
４２２  …  コロニー検出判定部
４２３  …  ロット判定処理部
４２４  …  報告処理部
４３０  …  サーバ管理制御部
【図１】
2013183635.tif 000003
【図２】
2013183635.tif 000004
【図３】
2013183635.tif 000005
【図４】
2013183635.tif 000006
【図５】
2013183635.tif 000007
【図６】
2013183635.tif 000008
【図７】
2013183635.tif 000009
【図８】
2013183635.tif 000010
【図９】
2013183635.tif 000011
【図１０】
2013183635.tif 000012
【図１１】
2013183635.tif 000013
【図１２】
2013183635.tif 000014
【図１３】
2013183635.tif 000015
【図１４】
2013183635.tif 000016
【図１５】
2013183635.tif 000017
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
通信端末装置と連動し、一以上の製造工程又は検査工程を含む作業ラインを用いて製造又は検査される食品の衛生管理システムであって、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、
前記取得された画像データに基づいて当該検体内のコロニーの数を検出する検出手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記検出された各画像データの検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項２】
請求項１に記載の衛生管理システムにおいて、
前記判定手段が、前記培地毎の各コロニー数又は該当する培地の全てのコロニー数の少なくともいずれか一方が所定の第２条件を具備しているか否かを判定し、当該培地の判定結果に基づいて、同一条件によって製造または検査された食品群が所定の第１条件を具備しているか否かを判定する、食品の衛生管理システム。
【請求項３】
請求項２に記載の衛生管理システムにおいて、
前記判定手段が、前記培地に培養される検体を抽出した作業ライン上の位置に基づいて、前記培地毎のコロニー数が所定の第２条件を具備しているか否かを判定する、食品の衛生管理システム。
【請求項４】
請求項２又は３に記載の衛生管理システムにおいて、
前記判定手段が、前記検体又は検体に培養される菌種に基づいて、予め定められた複数の条件の中から、前記第１条件及び前記第２条件の少なくともいずれか一方を選択し、選択した条件に基づいて、前記培地の判定又は前記食品群の判定を実行する、食品の衛生管理システム。
【請求項５】
請求項１〜４のいずれか１項に記載の衛生管理システムにおいて、
前記取得手段が、前記検体とともに画像化された培地識別情報を取得するとともに、前記した画像化された培地識別別情報を画像解析して当該培地識別情報を認識する、食品の衛生管理システム。
【請求項６】
請求項１〜５のいずれか１項に記載の衛生管理システムにおいて、
前記ライン情報には、前記検体の種別を示す検体種別、前記検体の培養開始時刻、前記検体を抽出した工程を特定するための工程特定情報、及び、前記検体を前記培地で培養する際の希釈倍率を示す希釈倍率が含まれる、食品の衛生管理システム。
【請求項７】
請求項１〜６のいずれか１項に記載の衛生管理システムにおいて、
前記取得手段が、前記通信端末装置から前記画像データとともに当該画像データの撮像時刻を示す撮像時刻情報を取得する、食品の衛生管理システム。
【請求項８】
請求項１〜７のいずれか１項に記載の衛生管理システムにおいて、
前記通知手段が、前記判定手段によって前記食品群が前記所定の第１条件を具備していないと判定された場合には、前記管理者に警告を行う、食品の衛生管理システム。
【請求項９】
コンピュータによって、通信端末装置と連動し、一以上の製造工程又は検査工程を含む作業ラインを用いて製造又は検査される食品の衛生管理を実行するためのプログラムであって、
前記コンピュータを、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段、
前記取得された画像データに基づいて当該検体内のコロニーの数を検出する検出手段、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、
前記検出された各画像データの検体におけるコロニー数と前記検索されたライン関連情報に基づいて、同一条件によって製造または検査された食品群が所定の第１条件を具備しているか否かを判定する判定手段、及び、
前記判定手段によって判定された判定結果を管理者に通知する通知手段、
として機能させることを特徴するプログラム。
【請求項１０】
通信端末装置と、
前記通信端末装置と接続され、一以上の製造工程又は検査工程を含む作業ラインを用いて製造又は検査される食品の衛生管理を実行するサーバシステムと、
を備え、
前記サーバシステムが、
前記製造又は前記検査される検体としての前記食品が培養される培地を識別するための培地識別情報とともに前記通信端末装置によって撮像されて画像化された複数の検体のそれぞれの画像データを取得し、かつ、当該取得する各画像データの前記通信端末装置によって入力された前記作業ラインの作業を識別するための作業識別情報を取得する取得手段と、
前記取得された画像データに基づいて当該検体内のコロニーの数を検出する検出手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記検出された各画像データの検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１１】
通信端末装置と連動し、一以上の製造工程又は検査工程を含む作業ラインを用いて製造又は検査される食品の衛生管理システムであって、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記取得した検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１２】
コンピュータによって、通信端末装置と連動し、一以上の製造工程又は検査工程を含む作業ラインを用いて製造又は検査される食品の衛生管理を実行するプログラムであって、
前記コンピュータを、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、
前記取得した検体におけるコロニー数と前記検索されたライン関連情報に基づいて、同一条件によって製造または検査された食品群が所定の第１条件を具備しているか否かを判定する判定手段、
前記判定手段によって判定された判定結果を管理者に通知する通知手段、
として機能させることを特徴するプログラム。
【請求項１３】
通信端末装置と、
前記通信端末装置と接続され、一以上の製造工程又は検査工程を含む作業ラインを用いて製造又は検査される食品の衛生管理を実行するサーバシステムと、
を備え、
前記サーバシステムが、
前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段と、
前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段と、
前記取得した検体におけるコロニー数と前記検索されたライン関連情報に基づいて、同一条件によって製造または検査された食品群が所定の第１条件を具備しているか否かを判定する判定手段と、
前記判定手段によって判定された判定結果を管理者に通知する通知手段と、
を備えることを特徴する食品の衛生管理システム。
【請求項１４】
フィルムによって形成される基材と、
前記基材に設けられた、一以上の製造工程又は検査工程を含む作業ラインを用いて製造又は検査される食品が検体として培養される培養層と、
前記検体及び当該検体の状態の少なくともいずれか一方に関する情報を培地情報としてデータベースに登録して管理し、かつ、前記作業ラインの作業を識別するための作業識別情報に対応付けられつつ、同一条件によって製造または検査された食品群が所定の第１条件を具備しているか否かを判定する際に用いられる固有の識別情報であって、当該識別情報が通信端末装置によって画像化された際に読み出し可能に形成されたマーク形成部と、
を備えることを特徴とするフィルム型培地。
【手続補正２】
【補正対象書類名】明細書
【補正対象項目名】００３７
【補正方法】変更
【補正の内容】
【００３７】
（１２）上述した課題を解決するため、本発明に係るプログラムは、コンピュータによって、通信端末装置と連動し、一以上の製造工程又は検査工程を含む作業ラインを用いて製造又は検査される食品の衛生管理を実行するプログラムであって、前記コンピュータを、前記製造又は前記検査される検体としての前記食品が培養される培地を識別するための培地識別情報とともに前記通信端末装置によって撮像されて画像データとして画像化された複数の検体内のコロニーの数をそれぞれ取得し、かつ、当該各検体の画像化に伴って前記通信端末装置によって入力された前記作業ラインの作業を識別するための作業識別情報をそれぞれ取得する取得手段、前記作業識別情報毎に前記作業ラインの衛生管理の情報を含む前記作業ラインに関する情報がライン関連情報として記憶されたデータベースから、前記取得された作業識別情報に基づいて、各画像データに画像化された検体が抽出された作業ラインのライン関連情報を検索する検索手段、前記取得した検体におけるコロニー数と前記検索されたライン関連情報に基づいて、同一条件によって製造または検査された食品群が所定の第１条件を具備しているか否かを判定する判定手段、前記判定手段によって判定された判定結果を管理者に通知する通知手段、として機能させる構成を有している。
【手続補正３】
【補正対象書類名】明細書
【補正対象項目名】００４３
【補正方法】変更
【補正の内容】
【００４３】
（１４）上述した課題を解決するため、本発明に係るフィルム型培地は、フィルムによって形成される基材と、前記基材に設けられた、一以上の製造工程又は検査工程を含む作業ラインを用いて製造又は検査される食品が検体として培養される培養層と、前記検体及び当該検体の状態の少なくともいずれか一方に関する情報を培地情報としてデータベースに登録して管理し、かつ、前記作業ラインの作業を識別するための作業識別情報に対応付けられつつ、同一条件によって製造または検査された食品群が所定の第１条件を具備しているか否かを判定する際に用いられる固有の識別情報であって、当該識別情報が通信端末装置によって画像化された際に読み出し可能に形成されたマーク形成部と、を備える構成を有している。
【国際調査報告】
2013183635.tif 000018
2013183635.tif 000019
2013183635.tif 000020
2013183635.tif 000021